(57)【要約】【課題】装置内に挿入されたディスクをディスクの光透過率の大小にかかわらず、安定して識別することができるディスク識別装置と、このディスク識別装置を備えたディスク挿排装置及びディスク装置とを提供する。【解決手段】ディスクがディスク装置の内部に挿入された際にディスクと接触するローラ部材１０７ａを備えたレバー部材１０７と、レバー部材１０７がディスクと接触したことを検出するプッシュスイッチ１１０ｂを、プッシュスイッチ１０５ｂが１２ｃｍディスクを検出するときに１２ｃｍディスクを検出し、プッシュスイッチ１０５ｂが中心部に８ｃｍの中空穴が形成される１２ｃｍディスクを検出するときに中心部に８ｃｍの中空穴が形成される１２ｃｍディスクを検出しない位置で且つプッシュスイッチ１０５ｂが８ｃｍディスクを検出するときに８ｃｍディスクを検出しない位置に配置する。【選択図】  図１
2005135454.tif 000002
【特許請求の範囲】
【請求項１】
第１のディスク、前記第１のディスクより外径が小さい第２のディスク、前記第１のディスクと外径が略同一であり、中心部に前記第２のディスクと半径が略同一である中空穴が形成された中空ディスクを含むディスクを挿排するディスク挿排部と、
前記ディスクの接触によって前記ディスク挿排部の幅方向の一端部を通過する前記ディスクを検出する端部通過時接触検出手段と、
前記ディスクの厚み方向に接触することによって通過する前記ディスクを検出する接触検出時厚み検出手段と、
前記端部通過時接触検出手段が前記ディスクを検出するときの前記接触検出時厚み検出手段の検出結果に基づいて前記ディスクの種類を識別する識別手段とを備え、
前記接触検出時厚み検出手段は、前記端部通過時接触検出手段が前記中空ディスクを検出したときに前記中空ディスクを検出しない位置に配置されることを特徴とするディスク識別装置。
【請求項２】
前記接触検出時厚み検出手段は、前記端部通過時接触検出手段が前記ディスク挿排部の幅方向の一端部を通過する前記第２のディスクを検出したときに前記第２のディスクを検出しない位置に配置されることを特徴とする請求項１に記載のディスク識別装置。
【請求項３】
前記ディスクの厚み方向に接触することによって通過する前記ディスクを検出する通過ディスク厚み検出手段を備え、
前記接触検出時厚み検出手段及び前記通過ディスク厚み検出手段は、前記ディスク挿排部に挿入された前記第１のディスク又は前記中空ディスクを、最初に前記通過ディスク厚み検出手段が検出したときに前記接触検出時厚み検出手段が検出し、前記ディスク挿排部に挿入された前記ディスク挿排部の幅方向の一端部を通過する前記第２のディスクを、最初に前記通過ディスク厚み検出手段が検出したときに前記接触検出時厚み検出手段が検出しない位置に配置され、
前記識別手段は、前記通過ディスク厚み検出手段が前記ディスク挿排部に挿入される前記ディスクを最初に検出するときの前記接触検出時厚み検出手段の検出結果に基づいて、前記ディスクの種類を識別することを特徴とする請求項１又は請求項２に記載のディスク識別装置。
【請求項４】
前記ディスクの厚み方向に接触することによって通過する前記ディスクを検出するディスク通過時厚み検出手段と、前記ディスクの厚み方向に接触することによって通過する前記ディスクを検出する通過ディスク厚み検出手段とを備え、
前記ディスク挿排部の幅は前記第１のディスクの外径と長さが略同一であり、
前記ディスク通過時厚み検出手段及び前記通過ディスク厚み検出手段は、前記ディスク挿排部に挿入された前記第１のディスク又は前記中空ディスクを、最初に前記ディスク通過時厚み検出手段が検出したときに前記通過ディスク厚み検出手段が検出し、前記ディスク挿排部に挿入された前記ディスク挿排部の幅方向の一端部を通過する前記第２のディスク又は前記ディスク挿排部の幅方向の中央部を通過する前記第２のディスクを、最初に前記ディスク通過時厚み検出手段が検出したときに前記通過ディスク厚み検出手段が検出し、或いは、前記ディスク通過時厚み検出手段に検出されずに前記ディスク挿排部に挿入された前記ディスク挿排部の幅方向の他端部を通過する前記第２のディスクを、最初に前記ディスク通過時厚み検出手段が検出したときに前記ディスク通過時厚み検出手段が検出しない位置に配置され、
前記識別手段は、前記ディスク通過時厚み検出手段が前記ディスク挿排部に挿入される前記ディスクを最初に検出するときの前記通過ディスク厚み検出手段の検出結果に基づいて、前記ディスクの種類を識別することを特徴とする請求項１又は請求項２に記載のディスク識別装置。
【請求項５】
前記ディスクの厚み方向に接触することによって通過する前記ディスクを検出するディスク通過時厚み検出手段を備え、
前記ディスク挿排部の幅は前記第１のディスクの外径と長さが略同一であり、
前記ディスク通過時厚み検出手段及び前記通過ディスク厚み検出手段は、前記ディスク挿排部に挿入された前記第１のディスク又は前記中空ディスクを、最初に前記ディスク通過時厚み検出手段が検出したときに前記通過ディスク厚み検出手段が検出し、前記ディスク挿排部に挿入された前記ディスク挿排部の幅方向の一端部を通過する前記第２のディスク又は前記ディスク挿排部の幅方向の中央部を通過する前記第２のディスクを、最初に前記ディスク通過時厚み検出手段が検出したときに前記通過ディスク厚み検出手段が検出し、或いは、前記ディスク通過時厚み検出手段に検出されずに前記ディスク挿排部に挿入された前記ディスク挿排部の幅方向の他端部を通過する前記第２のディスクを前記ディスク通過時厚み検出手段が検出したときに前記通過ディスク厚み検出手段が検出しない位置に配置され、
前記識別手段は、前記ディスク通過時厚み検出手段が前記ディスク挿排部に挿入される前記ディスクを最初に検出するときの前記通過ディスク厚み検出手段の検出結果に基づいて、前記ディスクの種類を識別することを特徴とする請求項３に記載のディスク識別装置。
【請求項６】
前記ディスクの厚み方向に接触することによって通過する前記ディスクを検出するディスク通過時厚み検出手段と、前記ディスクの接触によって通過する前記ディスクを検出するディスク通過時接触検出手段とを備え、
前記ディスク挿排部の幅は前記第１のディスクの外径と長さが略同一であり、
前記ディスク通過時厚み検出手段及び前記ディスク通過時接触検出手段は、前記ディスク挿排部に挿入された前記第１のディスク又は前記中空ディスクを、最初に前記ディスク通過時厚み検出手段が検出したときに前記ディスク通過時接触検出手段が検出し、前記ディスク挿排部に挿入された前記ディスク挿排部の幅方向の一端部を通過する前記第２のディスク又は前記ディスク挿排部の幅方向の中央部を通過する前記第２のディスクを、最初に前記ディスク通過時厚み検出手段が検出したときに前記ディスク通過時接触検出手段が検出し、或いは、前記ディスク通過時厚み検出手段に検出されずに前記ディスク挿排部に挿入された前記ディスク挿排部の幅方向の他端部を通過する前記第２のディスクを、最初に前記ディスク通過時厚み検出手段が検出したときに前記ディスク通過時接触検出手段が検出しない位置に配置され、
前記識別手段は、前記ディスク通過時厚み検出手段が前記ディスク挿排部に挿入される前記ディスクを最初に検出するときの前記ディスク通過時接触検出手段の検出結果に基づいて、前記ディスクの種類を識別することを特徴とする請求項１から請求項３までの何れかに記載のディスク識別装置。
【請求項７】
前記ディスクの厚み方向に接触することによって通過する前記ディスクを検出し、前記ディスク挿排部を通過する前記第２のディスクのうち前記接触検出時厚み検出手段によって検出されない第２のディスクを少なくとも検出する位置に配置される非検出ディスク厚み検出手段と、
前記ディスクの厚み方向に接触することによって通過する前記ディスクを検出するディスク通過時厚み検出手段と、
前記ディスクの接触によって通過する前記ディスクを検出するディスク通過時接触検出手段とを備え、
前記ディスク挿排部の幅は前記第１のディスクの外径と長さが略同一であり、
前記接触検出時厚み検出手段、前記非検出ディスク厚み検出手段、前記ディスク通過時厚み検出手段及び前記ディスク通過時接触検出手段は、前記ディスク挿排部に挿入された前記第１のディスク、前記ディスク挿排部の幅方向の一端部を通過する前記第２のディスク、前記ディスク挿排部の幅方向の他端部を通過する前記第２のディスク又は前記中空ディスクを、前記接触検出時厚み検出手段及び前記非検出ディスク厚み検出手段の少なくとも一方が検出し、前記接触検出時厚み検出手段及び前記非検出ディスク厚み検出手段の双方が検出しなくなる以前に、前記ディスク通過時厚み検出手段及び前記ディスク通過時接触検出手段の少なくとも一方が検出し、前記ディスク挿排部に挿入された前記ディスク挿排部の幅方向の中央部を通過する前記第２のディスクを、前記接触検出時厚み検出手段及び前記非検出ディスク厚み検出手段の少なくとも一方が検出し、前記接触検出時厚み検出手段及び前記非検出ディスク厚み検出手段の双方が検出しなくなる以前に、前記ディスク通過時厚み検出手段及び前記ディスク通過時接触検出手段の双方が検出しない位置に配置され、
前記識別手段は、前記接触検出時厚み検出手段及び前記非検出ディスク厚み検出手段の少なくとも一方が前記ディスクを検出して、前記接触検出時厚み検出手段及び前記非検出ディスク厚み検出手段の双方が検出しなくなる以前の前記ディスク通過時接触検出手段及び前記ディスク通過時厚み検出手段の検出結果に基づいて、前記ディスクの種類を識別することを特徴とする請求項１から請求項３までの何れかに記載のディスク識別装置。
【請求項８】
前記ディスクの厚み方向に接触することによって通過する前記ディスクを検出し、前記ディスク挿排部を通過する前記第２のディスクのうち前記接触検出時厚み検出手段によって検出されない前記第２のディスクを少なくとも検出する位置に配置される非検出ディスク厚み検出手段と、
前記ディスクの接触によって通過する前記ディスクを検出するディスク通過時接触検出手段とを備え、
前記接触検出時厚み検出手段、前記非検出ディスク厚み検出手段、前記ディスク通過時厚み検出手段及び前記ディスク通過時接触検出手段は、前記ディスク挿排部に挿入された前記第１のディスク、前記ディスク挿排部の幅方向の一端部を通過する前記第２のディスク、前記ディスク挿排部の幅方向の他端部を通過する前記第２のディスク又は前記中空ディスクを、前記接触検出時厚み検出手段及び前記非検出ディスク厚み検出手段の少なくとも一方が検出し、前記接触検出時厚み検出手段及び前記非検出ディスク厚み検出手段の双方が検出しなくなる以前に、前記ディスク通過時厚み検出手段及び前記ディスク通過時接触検出手段の少なくとも一方が検出し、前記ディスク挿排部に挿入された前記ディスク挿排部の幅方向の中央部を通過する前記第２のディスクを、前記接触検出時厚み検出手段及び前記非検出ディスク厚み検出手段の少なくとも一方が検出し、前記接触検出時厚み検出手段及び前記非検出ディスク厚み検出手段の双方が検出しなくなる以前に、前記ディスク通過時厚み検出手段及び前記ディスク通過時接触検出手段の双方が検出しない位置に配置され、
前記識別手段は、前記接触検出時厚み検出手段及び前記非検出ディスク厚み検出手段の少なくとも一方が前記ディスクを検出し、前記接触検出時厚み検出手段及び前記非検出ディスク厚み検出手段の双方が検出しなくなる以前の前記ディスク通過時接触検出手段及び前記ディスク通過時厚み検出手段の検出結果に基づいて、前記ディスクの種類を識別することを特徴とする請求項４又は請求項５に記載のディスク識別装置。
【請求項９】
前記ディスクの厚み方向に接触することによって通過する前記ディスクを検出し、前記ディスク挿排部を通過する前記第２のディスクのうち前記接触検出時厚み検出手段によって検出されない第２のディスクを少なくとも検出する位置に配置される非検出ディスク厚み検出手段を備え、
前記接触検出時厚み検出手段、前記非検出ディスク厚み検出手段、前記ディスク通過時厚み検出手段及び前記ディスク通過時接触検出手段は、前記ディスク挿排部に挿入された前記第１のディスク、前記ディスク挿排部の幅方向の一端部を通過する前記第２のディスク、前記ディスク挿排部の幅方向の他端部を通過する前記第２のディスク又は前記中空ディスクを、前記接触検出時厚み検出手段及び前記非検出ディスク厚み検出手段の少なくとも一方が検出し、前記接触検出時厚み検出手段及び前記非検出ディスク厚み検出手段の双方が検出しなく以前に、前記ディスク通過時厚み検出手段及び前記ディスク通過時接触検出手段の少なくとも一方が検出し、前記ディスク挿排部に挿入された前記ディスク挿排部の幅方向の中央部を通過する前記第２のディスクを、前記接触検出時厚み検出手段及び前記非検出ディスク厚み検出手段の少なくとも一方が検出し、前記接触検出時厚み検出手段及び前記非検出ディスク厚み検出手段の双方が検出しなくなる以前に、前記ディスク通過時厚み検出手段及び前記ディスク通過時接触検出手段の双方が検出しない位置に配置され、
前記識別手段は、前記接触検出時厚み検出手段及び前記非検出ディスク厚み検出手段の少なくとも一方が前記ディスクを検出し、前記接触検出時厚み検出手段及び前記非検出ディスク厚み検出手段の双方が検出しなくなる以前の前記ディスク通過時接触検出手段及び前記ディスク通過時厚み検出手段の検出結果に基づいて、前記ディスクの種類を識別することを特徴とする請求項６に記載のディスク識別装置。
【請求項１０】
前記ディスクの厚み方向に接触することによって通過する前記ディスクを検出するディスク通過時厚み検出手段と、
前記ディスクの接触によって通過する前記ディスクを検出するディスク通過時接触検出手段とを備え、
前記ディスク通過時厚み検出手段及び前記ディスク通過時接触検出手段は、前記ディスク挿排部に挿入された前記ディスク挿排部の幅方向の一端部を通過する前記第２のディスクを、最初に前記ディスク通過時厚み検出手段が検出したときに前記ディスク通過時接触検出手段が検出せず、或いは、前記ディスク通過時厚み検出手段に検出されずに前記ディスク挿排部に挿入された前記中空ディスクを、最初に前記ディスク通過時厚み検出手段が検出したときに前記ディスク通過時接触検出手段が検出する位置に配置され、
前記識別手段は、前記端部通過時接触検出手段が前記ディスクを検出するときの前記接触検出時厚み検出手段の検出結果と、前記ディスク通過時厚み検出手段が前記ディスク挿排部に挿入される前記ディスクを最初に検出するときの前記ディスク通過時接触検出手段の検出結果とに基づいて、前記ディスクの種類を識別することを特徴とする請求項１から請求項３までの何れかに記載のディスク識別装置。
【請求項１１】
前記ディスクの接触によって通過する前記ディスクを検出するディスク通過時接触検出手段を備え、
前記ディスク通過時厚み検出手段及び前記ディスク通過時接触検出手段は、前記ディスク挿排部に挿入された前記ディスク挿排部の幅方向の一端部を通過する前記第２のディスクを、最初に前記ディスク通過時厚み検出手段が検出したときに前記ディスク通過時接触検出手段に検出せず、或いは、前記ディスク通過時厚み検出手段に検出されずに前記ディスク挿排部に挿入された前記中空ディスクを、最初に前記ディスク通過時厚み検出手段が検出したときに前記ディスク通過時接触検出手段が検出する位置に配置され、
前記識別手段は、前記端部通過時接触検出手段が前記ディスクを検出するときの前記接触検出時厚み検出手段の検出結果と、前記ディスク通過時厚み検出手段が前記ディスク挿排部に挿入される前記ディスクを最初に検出するときの前記ディスク通過時接触検出手段の検出結果とに基づいて、前記ディスクの種類を識別することを特徴とする請求項４又は請求項５に記載のディスク識別装置。
【請求項１２】
前記ディスク通過時厚み検出手段及び前記ディスク通過時接触検出手段は、前記ディスク挿排部に挿入された前記ディスク挿排部の幅方向の一端部を通過する前記第２のディスクを、最初に前記ディスク通過時厚み検出手段が検出したときに前記ディスク通過時接触検出手段が検出せず、或いは、前記ディスク通過時厚み検出手段に検出されずに前記ディスク挿排部に挿入された前記中空ディスクを、最初に前記ディスク通過時厚み検出手段が検出したときに前記ディスク通過時接触検出手段が検出する位置に配置され、
前記識別手段は、前記端部通過時接触検出手段が前記ディスクを検出するときの前記接触検出時厚み検出手段の検出結果と、前記ディスク通過時厚み検出手段が前記ディスク挿排部に挿入される前記ディスクを最初に検出するときの前記ディスク通過時接触検出手段の検出結果とに基づいて、前記ディスクの種類を識別することを特徴とする請求項６から請求項９までの何れかに記載のディスク識別装置。
【請求項１３】
前記接触検出時厚み検出手段は、前記端部通過時接触検出手段に検出されるときの前記第１のディスク、前記第２のディスク、及び、前記中空ディスクを検出する位置に配置され、
前記識別手段は、前記端部通過時接触検出手段が前記ディスクを検出するときの前記接触検出時厚み検出手段の検出結果に基づいて、前記ディスクの種類を識別することを特徴とする請求項１から請求項１２までの何れかに記載のディスク識別装置。
【請求項１４】
前記厚み検出手段は、前記ディスクと接触する部分にローラ部材を備えたディスク厚み接触部材と、前記ディスク厚み接触部材の変位を検出するセンサー部材と、を備えることを特徴とする請求項１から請求項１３までの何れかに記載のディスク識別装置。
【請求項１５】
前記第１のディスクの直径が１２ｃｍであり、前記第２のディスクの直径が８ｃｍであることを特徴とする請求項１から請求項１４までの何れかに記載のディスク識別装置。
【請求項１６】
請求項１から請求項１４までの何れかに記載のディスク識別装置と、前記ディスクを搬送して挿排する搬送手段と、前記識別手段の識別結果に基づいて、前記搬送手段による前記ディスクの挿排動作を制御する制御手段と、を備えることを特徴とするディスク挿排装置。
【請求項１７】
請求項１又は請求項２に記載のディスク識別装置と、前記ディスクを搬送して挿排する搬送手段と、前記端部通過時接触検出手段が前記ディスクを検出するときに前記接触検出時厚み検出手段が前記ディスクを検出する場合、前記識別手段による識別結果に基づいて、前記搬送手段に前記ディスクを挿入させるように、前記搬送手段による前記ディスクの挿排動作を制御する制御手段と、を備えることを特徴とするディスク挿排装置。
【請求項１８】
請求項１又は請求項２に記載のディスク識別装置と、前記ディスクを搬送して挿排する搬送手段と、前記端部通過時接触検出手段が前記ディスクを検出するときに前記接触検出時厚み検出手段が前記ディスクを検出しない場合、前記識別手段による識別結果に基づいて、前記搬送手段に前記ディスクを排出させるように、前記搬送手段による前記ディスクの挿排動作を制御する制御手段と、を備えることを特徴とするディスク挿排装置。
【請求項１９】
請求項３に記載のディスク識別装置と、前記ディスクを搬送して挿排する搬送手段と、前記通過ディスク厚み検出手段が前記ディスク挿排ディスク挿排部に挿入される前記ディスクを最初に検出するときに前記接触検出時厚み検出手段が前記ディスクを検出しない場合、前記識別手段による識別結果に基づいて、前記搬送手段に前記ディスクを排出させるように、前記搬送手段による前記ディスクの挿排動作を制御する制御手段と、を備えることを特徴とするディスク挿排装置。
【請求項２０】
請求項４又は請求項５に記載のディスク識別装置と、前記ディスクを搬送して挿排する搬送手段と、前記ディスク通過時厚み検出手段が前記ディスク挿排部に挿入される前記ディスクを最初に検出するときに前記通過ディスク厚み検出手段が前記ディスクを検出しない場合、前記識別手段による識別結果に基づいて、前記搬送手段に前記ディスクを排出させるように、前記搬送手段による前記ディスクの挿排動作を制御する制御手段と、を備えることを特徴とするディスク挿排装置。
【請求項２１】
請求項６に記載のディスク識別装置と、前記ディスクを搬送して挿排する搬送手段と、前記ディスク通過時厚み検出手段が前記ディスク挿排部に挿入される前記ディスクを最初に検出するときに前記ディスク通過時接触検出手段が前記ディスクを検出しない場合、前記識別手段による識別結果に基づいて、前記搬送手段に前記ディスクを排出させるように、前記搬送手段による前記ディスクの挿排動作を制御する制御手段と、を備えることを特徴とするディスク挿排装置。
【請求項２２】
請求項７から請求項９までの何れかに記載のディスク識別装置と、前記ディスクを搬送して挿排する搬送手段と、前記接触検出時厚み検出手段及び前記非検出ディスク厚み検出手段の少なくとも一方が前記ディスクを検出し、前記接触検出時厚み検出手段及び前記非検出ディスク厚み検出手段の双方が検出しなくなる以前に、前記ディスク通過時接触検出手段及び前記ディスク通過時厚み検出手段の双方が前記ディスクを検出しない場合、前記識別手段による識別結果に基づいて、前記搬送手段に前記ディスクを排出させるように、前記搬送手段による前記ディスクの挿排動作を制御する制御手段と、を備えることを特徴とするディスク挿排装置。
【請求項２３】
請求項１０から請求項１２までの何れかに記載のディスク識別装置と、前記ディスクを搬送して挿排する搬送手段と、前記ディスク通過時厚み検出手段が前記ディスク挿排部に挿入される前記ディスクを最初に検出するときに前記ディスク通過時接触検出手段が前記ディスクを検出し、前記端部通過時接触検出手段が前記ディスクを検出するときに前記接触検出時厚み検出手段が前記ディスクを検出しない場合、前記識別手段による識別結果に基づいて、前記搬送手段に前記ディスクを排出させるように、前記搬送手段による前記ディスクの挿排動作を制御する制御手段と、を備えることを特徴とするディスク挿排装置。
【請求項２４】
請求項１３に記載のディスク識別装置と、前記ディスクを搬送して挿排する搬送手段と、前記端部通過時接触検出手段が前記ディスクを検出するときに前記厚み検出手段が前記ディスクを検出しない場合、前記識別手段による識別結果に基づいて、前記搬送手段に前記ディスクを排出させるように、前記搬送手段による前記ディスクの挿排動作を制御する制御手段と、を備えることを特徴とするディスク挿排装置。
【請求項２５】
請求項３に記載のディスク識別装置と、前記ディスクを搬送して挿排する搬送手段と、前記通過ディスク厚み検出手段が前記ディスク挿排部に挿入される前記ディスクを最初に検出するときに前記接触検出時厚み検出手段が前記ディスクを検出しない場合、前記識別手段による識別結果に基づいて、前記搬送手段に前記ディスクを挿入させるように、前記搬送手段による前記ディスクの挿排動作を制御する制御手段と、を備えることを特徴とするディスク挿排装置。
【請求項２６】
請求項４又は請求項５に記載のディスク識別装置と、前記ディスクを搬送して挿排する搬送手段と、前記ディスク通過時厚み検出手段が前記ディスク挿排部に挿入される前記ディスクを最初に検出するときに前記通過ディスク厚み検出手段が前記ディスクを検出しない場合、前記識別手段による識別結果に基づいて、前記搬送手段に前記ディスクを挿入させるように、前記搬送手段による前記ディスクの挿排動作を制御する制御手段と、を備えることを特徴とするディスク挿排装置。
【請求項２７】
請求項６に記載のディスク識別装置と、前記ディスクを搬送して挿排する搬送手段と、前記ディスク通過時厚み検出手段が前記ディスク挿排部に挿入される前記ディスクを最初に検出するときに前記ディスク通過時接触検出手段が前記ディスクを検出しない場合、前記識別手段による識別結果に基づいて、前記搬送手段に前記ディスクを挿入させるように、前記搬送手段による前記ディスクの挿排動作を制御する制御手段と、を備えることを特徴とするディスク挿排装置。
【請求項２８】
請求項７から請求項９までの何れかに記載のディスク識別装置と、前記ディスクを搬送して挿排する搬送手段と、前記接触検出時厚み検出手段及び前記非検出ディスク厚み検出手段の少なくとも一方が前記ディスクを検出して、前記接触検出時厚み検出手段及び前記非検出ディスク厚み検出手段の双方が検出しなくなる以前に、前記ディスク通過時接触検出手段及び前記ディスク通過時厚み検出手段の双方が前記ディスクを検出しない場合、前記識別手段による識別結果に基づいて、前記搬送手段に前記ディスクを挿入させるように、前記搬送手段による前記ディスクの挿排動作を制御する制御手段と、を備えることを特徴とするディスク挿排装置。
【請求項２９】
請求項１から請求項１４までの何れかに記載のディスク識別装置と、前記接触検出時厚み検出手段より前記ディスクの挿入方向下流側に配置され、前記ディスクを搬送して挿排する搬送手段と、前記接触検出時厚み検出手段の検出結果に基づいて、前記搬送手段による前記ディスクの挿入動作を制御する制御手段と、を備えることを特徴とするディスク挿排装置。
【請求項３０】
前記接触検出時厚み検出手段は、前記ディスク挿排部に挿入され、前記ディスク挿排部の幅方向の他端部を通過する前記第２のディスクが前記搬送手段に接触する前に、前記第２のディスクを検出する位置に配置されることを特徴とする請求項２９に記載のディスク挿排装置。
【請求項３１】
請求項７又は請求項８に記載のディスク識別装置と、前記非検出ディスク厚み検出手段より前記ディスクの挿入方向下流側に配置され、前記ディスクを搬送して挿排する搬送手段と、前記非検出ディスク厚み検出手段の検出結果に基づいて、前記搬送手段による前記ディスクの挿入動作を制御する制御手段と、を備えることを特徴とするディスク挿排装置。
【請求項３２】
前記非検出ディスク厚み検出手段は、前記ディスク挿排部に挿入された前記第１のディスクが前記搬送手段に接触する前に、前記第１のディスクを検出する位置に配置されることを特徴とする請求項３１に記載のディスク挿排装置。
【請求項３３】
前記非検出ディスク厚み検出手段は、前記ディスク挿排部に挿入され、前記ディスク挿排部の幅方向の中央部を通過する前記第２のディスクが前記搬送手段に接触する前に、前記第２のディスクを検出する位置に配置されることを特徴とする請求項３１又は請求項３２のいずれかに記載のディスク挿排装置。
【請求項３４】
前記非検出ディスク厚み検出手段は、前記ディスク挿排部に挿入され、前記ディスク挿排部の幅方向の一端部を通過する前記第２のディスクが前記搬送手段に接触する前に、前記第２のディスクを検出する位置に配置されることを特徴とする請求項３１から請求項３３のいずれかに記載のディスク挿排装置。
【請求項３５】
請求項６から請求項１４までの何れかに記載のディスク識別装置と、前記ディスク通過時接触検出手段より前記ディスクの挿入方向下流側に配置され、前記ディスクを搬送して挿排する搬送手段と、前記ディスク通過時接触検出手段の検出結果に基づいて、前記搬送手段による前記ディスクの挿入動作を制御する制御手段と、を備えることを特徴とするディスク挿排装置。
【請求項３６】
請求項１から請求項１４までの何れかに記載のディスク識別装置と、前記端部通過時接触検出手段及び前記接触検出時厚み検出手段より前記ディスクの挿入方向下流側に配置され、前記ディスクを搬送して挿排する搬送手段と、前記端部通過時接触検出手段が前記ディスクを検出するときの前記接触検出時厚み検出手段の検出結果に基づいた前記識別手段による識別結果に基づいて、前記搬送手段による前記ディスクの挿排動作を制御する制御手段と、を備えることを特徴とするディスク挿排装置。
【請求項３７】
請求項１から請求項１４までの何れかに記載のディスク識別装置と、前記ディスクを挿排し、挿入中の前記ディスクとの接触が外れる前に前記識別手段による前記ディスクの識別が終了する位置に配置される搬送手段と、前記識別手段による識別結果に基づいて、前記搬送手段による前記ディスクの挿排動作を制御する制御手段と、を備えることを特徴とするディスク挿排装置。
【請求項３８】
請求項３から請求項５までの何れかに記載のディスク識別装置と、前記ディスクを搬送して挿排する搬送手段と、前記通過ディスク厚み検出手段の検出結果に基づいて、前記搬送手段による前記ディスクの排出動作を制御する制御手段とを備え、前記通過ディスク厚み検出手段は、前記第１のディスクが前記ディスク挿排部から排出されるとき、前記第１のディスクを検出した後、前記搬送手段に接触中の前記第１のディスクを検出しなくなる位置に配置されることを特徴とするディスク挿排装置。
【請求項３９】
請求項３から請求項５までの何れかに記載のディスク識別装置と、前記ディスクを搬送して挿排する搬送手段と、前記通過ディスク厚み検出手段の検出結果に基づいて、前記搬送手段による前記ディスクの排出動作を制御する制御手段とを備え、前記通過ディスク厚み検出手段は、前記ディスク挿排部の幅方向の中央部を通過する前記第２のディスクが前記ディスク挿排部から排出されるとき、前記第２のディスクを検出した後、前記搬送手段に接触中の前記第２のディスクを検出しなくなる位置に配置されることを特徴とするディスク挿排装置。
【請求項４０】
請求項３から請求項５までの何れかに記載のディスク識別装置と、前記ディスクを搬送して挿排する搬送手段と、前記通過ディスク厚み検出手段の検出結果に基づいて、前記搬送手段による前記ディスクの排出動作を制御する制御手段とを備え、前記通過ディスク厚み検出手段は、前記ディスク挿排部の幅方向の一端部を通過する前記第２のディスクが前記ディスク挿排部から排出されるとき、前記第２のディスクを検出した後、前記搬送手段に接触中の前記第２のディスクを検出しなくなる位置に配置されることを特徴とするディスク挿排装置。
【請求項４１】
請求項４から請求項１２までの何れかに記載のディスク識別装置と、前記ディスクを搬送して挿排する搬送手段と、前記ディスク通過時厚み検出手段の検出結果に基づいて、前記搬送手段による前記ディスクの排出動作を制御する制御手段とを備え、  前記ディスク通過時厚み検出手段は、前記ディスク挿排部の幅方向の他端部を通過する前記第２のディスクが前記ディスク挿排部から排出されるとき、前記第２のディスクを検出した後、前記搬送手段に接触中の前記第２のディスクを検出しなくなる位置に配置されることを特徴とするディスク挿排装置。
【請求項４２】
請求項１から請求項１４までの何れかに記載のディスク識別装置と、前記ディスクを搬送して挿排する搬送手段と、前記識別手段の識別結果に基づいて、前記搬送手段による前記ディスクの挿排動作を制御する制御手段とを備え、前記制御手段は、前記搬送手段に前記ディスクを挿入させているとき、前記端部通過時接触検出手段が前記ディスクを複数回検出する場合、前記搬送手段による前記ディスクの挿入動作を停止させることを特徴とするディスク挿排装置。
【請求項４３】
請求項１から請求項１４までの何れかに記載のディスク識別装置と、前記ディスクを搬送して挿排する搬送手段と、前記識別手段の識別結果に基づいて、前記搬送手段による前記ディスクの挿排動作を制御する制御手段とを備え、前記制御手段は、前記搬送手段に前記ディスクを挿入させているとき、前記端部通過時接触検出手段が前記ディスクを複数回検出する場合、前記搬送手段に前記ディスクを排出させることを特徴とするディスク挿排装置。
【請求項４４】
前記ディスク挿排部は、前記ディスクと接触することによって、複数枚以上が重なった前記ディスクの通過を規制する規制部を備えることを特徴とする請求項１６から請求項４３までの何れかに記載のディスク挿排装置。
【請求項４５】
前記搬送手段と接触することによって、前記搬送手段が前記ディスク挿排部を通過する前記ディスクの厚み方向に移動することを制限する制限手段を備えることを特徴とする請求項１６から請求項４４までの何れかに記載のディスク挿排装置。
【請求項４６】
前記制御手段は、前記搬送手段による前記ディスクの挿入開始から一定時間が経過した後、前記搬送手段に前記ディスクを排出させることを特徴とする請求項４４又は請求項４５までの何れかに記載のディスク挿排装置。
【請求項４７】
前記第１のディスクの直径が１２ｃｍであり、前記第２のディスクの直径が８ｃｍであることを特徴とする請求項１６から請求項４６までの何れかに記載のディスク挿排装置。
【請求項４８】
請求項１６から請求項４７までの何れかに記載のディスク挿排装置を備えることを特徴とするディスク装置。
【請求項４９】
請求項４８に記載のディスク装置を備えたことを特徴とする電子装置。
【請求項５０】
請求項４８に記載のディスク装置を備えたことを特徴とする車載用電子装置。
【発明の詳細な説明】
【技術分野】
【０００１】
本発明は、ディスクの種類を識別するディスク識別装置、ディスクを挿排するディスク挿排装置、及び、ディスク装置に関する。
【背景技術】
【０００２】
従来から、ディスクの種類を識別するディスク識別装置を備えた車載用のオーディオ機器などのディスク記録再生装置では、ディスクや、アダプタとの接触によって駆動されるレバーを使用し、そのレバーで光検出手段への光を遮ることで、ローディング開始及びローディング完了の制御や、アダプタのスリットによる誤検出の防止を行っていた（例えば、特許文献１参照）。
【０００３】
ここで、特許文献１で開示されたディスク識別装置について説明する。
図２４及び図２５において、図示していないディスクチェンジャー装置の筐体には下基板９１１が固定されており、この下基板９１１には上基板９１２が回動可能に支持されている。なお、上基板９１２と下基板９１１との間がディスク挿入口９１０となる。
ここで、下基板９１１には、ディスク挿入口９１０の幅方向の図２５における左端部側に配置された受光素子９１３Ａと、ディスク挿入口９１０の幅方向のほぼ中央に配置された受光素子９１３Ｂとが取り付けられている。また、上基板９１２には、小孔９１４Ａ及び小孔９１４Ｂが形成されるとともに、ディスク挿入口９１０とは反対側に振動板（レバー）９１５がディスク挿入口９１０の幅方向に摺動自在に保持されている。
【０００４】
また、摺動板９１５には、小孔９１６Ａと、大孔９１６Ｂとが形成されているとともに、上基板９１２にも係止されているバネ９１７が係止されており、更に、上基板９１２の切欠部を介してディスク挿入口９１０内に突出するピン９１８が植設されている。なお、摺動板９１５はバネ９１７の弾性力により矢印９１５ａに示す方向に付勢されている。
また、ディスクチェンジャー装置の筐体には、受光素子９１３Ａに対向する位置に発光素子９１９Ａが取り付けられており、受光素子９１３Ｂに対向する位置に発光素子９１９Ｂが取り付けられている。
【０００５】
以上述べた構成によって、光検出手段としての受光素子９１３Ａや受光素子９１３Ｂから構成されるディスク識別装置は、受光素子９１３Ａや受光素子９１３Ｂからの出力によってディスクの種類を識別することができる。
【０００６】
例えば、ディスク挿入口９１０に外径が１２ｃｍであるディスク（以下、通常１２ｃｍディスクという）９２０（図２４又は図２６参照）や、外径が１２ｃｍであり、中心部に外径が８ｃｍのディスク（以下、８ｃｍディスクという）を保持することができ、スリット９２４（図２７参照）を有するアダプタ９２１（図２７参照）、又は、アダプタ９２１に保持された８ｃｍディスクが挿入された際や、ディスク挿入口９１０の幅方向の左側から８ｃｍディスクが挿入された際には、挿入されたディスクやアダプタによってピン９１８が駆動されて摺動板９１５は図２４に示す位置から図２６に示す位置まで矢印９１５ｂの示す方向に摺動する。したがって、上基板９１２に形成された小孔９１４Ａが図２６に示すように摺動板９１５によって塞がれるので、受光素子９１３Ａは発光素子９１９Ａからの光を受けることができない。また、上基板９１２に形成された小孔９１４Ｂは、摺動板９１５に形成された大孔９１６Ｂの働きにより摺動板９１５によって塞がれることがないので、受光素子９１３Ｂはディスクやアダプタによって塞がれない限り受光素子９１９Ｂからの光を受けることができる。
【０００７】
一方、ディスク挿入口９１０の幅方向の中央や右側から８ｃｍディスクが挿入された際には、挿入されたディスクによってピン９１８が駆動されることがないので、上基板９１２に形成された小孔９１４Ａや小孔９１４Ｂは摺動板９１５によって塞がれることがなく、受光素子９１３Ａは常に発光素子９１９Ａからの光を受けることができる。また、受光素子９１３Ｂは、ディスクやアダプタによって塞がれない限り発光素子９１９Ｂからの光を受けることができる。
【０００８】
したがって、図２４及び図２６に示すようなディスク識別装置を備えたオーディオ機器は、受光素子９１３Ａ及び受光素子９１３Ｂからの出力によってディスクの種類を識別することができ、１２ｃｍディスク９２０及びアダプタ９２１に保持された８ｃｍディスクが挿入された場合には、ローディングを継続して図示していないディスク収納部まで搬送するのに対し、８ｃｍディスクや、８ｃｍディスクが保持されていないアダプタ９２１が挿入された場合には排出していた。
【０００９】
【特許文献１】特開２０００−１６３８４０号公報（第３頁）
【発明の開示】
【発明が解決しようとする課題】
【００１０】
しかしながら、従来のディスク識別装置においては、ディスクの検出に光検出手段を用いているため、ディスクの光透過率が高い場合には装置内にディスクが挿入されたことを検出できず、ディスクの装置内へのローディング動作を開始しない虞があるという問題がある。
【００１１】
本発明は、従来の問題を解決するためになされたもので、ディスクの光透過率の大小にかかわらず、安定したディスク識別を実現できるディスク識別装置と、このディスク識別装置を備えたディスク挿排装置及びディスク装置とを提供することを目的とする。
【課題を解決するための手段】
【００１２】
本発明のディスク識別装置は、第１のディスク、前記第１のディスクより外径が小さい第２のディスク、前記第１のディスクと外径が略同一であり、中心部に前記第２のディスクと半径が略同一である中空穴が形成された中空ディスクを含むディスクを挿排するディスク挿排部と、前記ディスクの接触によって前記ディスク挿排部の幅方向の一端部を通過する前記ディスクを検出する端部通過時接触検出手段と、前記ディスクの厚み方向に接触することによって通過する前記ディスクを検出する接触検出時厚み検出手段と、前記端部通過時接触検出手段が前記ディスクを検出するときの前記接触検出時厚み検出手段の検出結果に基づいて前記ディスクの種類を識別する識別手段とを備え、前記接触検出時厚み検出手段は、前記端部通過時接触検出手段が前記中空ディスクを検出したときに前記中空ディスクを検出しない位置に配置される構成を有している。
【００１３】
この構成により、ディスク挿排部に挿入されたディスクが第１のディスク、中空ディスクの何れかである場合、ディスク挿排部に挿入されたディスクが第１のディスク又は中空ディスクであるかをディスクの光透過率の大小にかかわらず、安定して識別することができる。
【００１４】
また、本発明のディスク識別装置は、前記接触検出時厚み検出手段は、前記端部通過時接触検出手段が前記ディスク挿排部の幅方向の一端部を通過する前記第２のディスクを検出したときに前記第２のディスクを検出しない位置に配置される構成を有している。
【００１５】
この構成により、ディスク挿排部に挿入されたディスクが、第１のディスク、ディスク挿排部の幅方向の一端部を通過する第２のディスク、中空ディスクのいずれかである場合、ディスク挿排部に挿入されたディスクが、第１のディスクであるか、或いは、ディスク挿排部の幅方向の一端部を通過する第２のディスク、中空ディスクであるかをディスクの光透過率の大小にかかわらず、安定して識別することができる。
【００１６】
また、本発明のディスク識別装置は、前記ディスクの厚み方向に接触することによって通過する前記ディスクを検出する通過ディスク厚み検出手段を備え、前記接触検出時厚み検出手段及び前記通過ディスク厚み検出手段は、前記ディスク挿排部に挿入された前記第１のディスク又は前記中空ディスクを、最初に前記通過ディスク厚み検出手段が検出したときに前記接触検出時厚み検出手段が検出し、前記ディスク挿排部に挿入された前記ディスク挿排部の幅方向の一端部を通過する前記第２のディスクを、最初に前記通過ディスク厚み検出手段が検出したときに前記接触検出時厚み検出手段が検出しない位置に配置され、前記識別手段は、前記通過ディスク厚み検出手段が前記ディスク挿排部に挿入される前記ディスクを最初に検出するときの前記接触検出時厚み検出手段の検出結果に基づいて、前記ディスクの種類を識別する構成を有している。
【００１７】
この構成により、ディスク挿排部に挿入されたディスクが、ディスク挿排部の幅方向の一端部を通過する第２のディスクである場合、ディスク挿排部に挿入されたディスクが、ディスク挿排部の幅方向の一端部を通過する第２のディスクであることをディスクの光透過率の大小にかかわらず、安定して識別することができる。
【００１８】
また、本発明のディスク識別装置は、前記ディスクの厚み方向に接触することによって通過する前記ディスクを検出するディスク通過時厚み検出手段と、前記ディスクの厚み方向に接触することによって通過する前記ディスクを検出する通過ディスク厚み検出手段とを備え、前記ディスク挿排部の幅は前記第１のディスクの外径と長さが略同一であり、前記ディスク通過時厚み検出手段及び前記通過ディスク厚み検出手段は、前記ディスク挿排部に挿入された前記第１のディスク又は前記中空ディスクを、最初に前記ディスク通過時厚み検出手段が検出したときに前記通過ディスク厚み検出手段が検出し、前記ディスク挿排部に挿入された前記ディスク挿排部の幅方向の一端部を通過する前記第２のディスク又は前記ディスク挿排部の幅方向の中央部を通過する前記第２のディスクを、最初に前記ディスク通過時厚み検出手段が検出したときに前記通過ディスク厚み検出手段が検出し、或いは、前記ディスク通過時厚み検出手段に検出されずに前記ディスク挿排部に挿入された前記ディスク挿排部の幅方向の他端部を通過する前記第２のディスクを、最初に前記ディスク通過時厚み検出手段が検出したときに前記ディスク通過時厚み検出手段が検出しない位置に配置され、前記識別手段は、前記ディスク通過時厚み検出手段が前記ディスク挿排部に挿入される前記ディスクを最初に検出するときの前記通過ディスク厚み検出手段の検出結果に基づいて、前記ディスクの種類を識別する構成を有している。
【００１９】
この構成により、ディスク挿排部に挿入されたディスクが、ディスク挿排部の幅方向の他端部を通過する第２のディスクである場合、ディスク挿排部に挿入されたディスクが、ディスク挿排部の幅方向の他端部を通過する第２のディスクであることをディスクの光透過率の大小にかかわらず、安定して識別することができる。
【００２０】
また、本発明のディスク識別装置は、前記ディスクの厚み方向に接触することによって通過する前記ディスクを検出するディスク通過時厚み検出手段を備え、前記ディスク挿排部の幅は前記第１のディスクの外径と長さが略同一であり、前記ディスク通過時厚み検出手段及び前記通過ディスク厚み検出手段は、前記ディスク挿排部に挿入された前記第１のディスク又は前記中空ディスクを、最初に前記ディスク通過時厚み検出手段が検出したときに前記通過ディスク厚み検出手段が検出し、前記ディスク挿排部に挿入された前記ディスク挿排部の幅方向の一端部を通過する前記第２のディスク又は前記ディスク挿排部の幅方向の中央部を通過する前記第２のディスクを、最初に前記ディスク通過時厚み検出手段が検出したときに前記通過ディスク厚み検出手段が検出し、或いは、前記ディスク通過時厚み検出手段に検出されずに前記ディスク挿排部に挿入された前記ディスク挿排部の幅方向の他端部を通過する前記第２のディスクを前記ディスク通過時厚み検出手段が検出したときに前記通過ディスク厚み検出手段が検出しない位置に配置され、前記識別手段は、前記ディスク通過時厚み検出手段が前記ディスク挿排部に挿入される前記ディスクを最初に検出するときの前記通過ディスク厚み検出手段の検出結果に基づいて、前記ディスクの種類を識別する構成を有している。
【００２１】
この構成により、ディスク挿排部に挿入されたディスクが、ディスク挿排部の幅方向の他端部を通過する第２のディスクである場合、ディスク挿排部に挿入されたディスクが、ディスク挿排部の幅方向の他端部を通過する第２のディスクであることをディスクの光透過率の大小にかかわらず、安定して識別することができる。
【００２２】
また、本発明のディスク識別装置は、前記ディスクの厚み方向に接触することによって通過する前記ディスクを検出するディスク通過時厚み検出手段と、前記ディスクの接触によって通過する前記ディスクを検出するディスク通過時接触検出手段とを備え、前記ディスク挿排部の幅は前記第１のディスクの外径と長さが略同一であり、前記ディスク通過時厚み検出手段及び前記ディスク通過時接触検出手段は、前記ディスク挿排部に挿入された前記第１のディスク又は前記中空ディスクを、最初に前記ディスク通過時厚み検出手段が検出したときに前記ディスク通過時接触検出手段が検出し、前記ディスク挿排部に挿入された前記ディスク挿排部の幅方向の一端部を通過する前記第２のディスク又は前記ディスク挿排部の幅方向の中央部を通過する前記第２のディスクを、最初に前記ディスク通過時厚み検出手段が検出したときに前記ディスク通過時接触検出手段が検出し、或いは、前記ディスク通過時厚み検出手段に検出されずに前記ディスク挿排部に挿入された前記ディスク挿排部の幅方向の他端部を通過する前記第２のディスクを、最初に前記ディスク通過時厚み検出手段が検出したときに前記ディスク通過時接触検出手段が検出しない位置に配置され、前記識別手段は、前記ディスク通過時厚み検出手段が前記ディスク挿排部に挿入される前記ディスクを最初に検出するときの前記ディスク通過時接触検出手段の検出結果に基づいて、前記ディスクの種類を識別する構成を有している。
【００２３】
この構成により、ディスク挿排部に挿入されたディスクが、ディスク挿排部の幅方向の他端部を通過する第２のディスクである場合、ディスク挿排部に挿入されたディスクが、ディスク挿排部の幅方向の他端部を通過する第２のディスクであることをディスクの光透過率の大小にかかわらず、安定して識別することができる。
【００２４】
また、本発明のディスク識別装置は、前記ディスクの厚み方向に接触することによって通過する前記ディスクを検出し、前記ディスク挿排部を通過する前記第２のディスクのうち前記接触検出時厚み検出手段によって検出されない第２のディスクを少なくとも検出する位置に配置される非検出ディスク厚み検出手段と、
前記ディスクの厚み方向に接触することによって通過する前記ディスクを検出するディスク通過時厚み検出手段と、前記ディスクの接触によって通過する前記ディスクを検出するディスク通過時接触検出手段とを備え、前記ディスク挿排部の幅は前記第１のディスクの外径と長さが略同一であり、前記接触検出時厚み検出手段、前記非検出ディスク厚み検出手段、前記ディスク通過時厚み検出手段及び前記ディスク通過時接触検出手段は、前記ディスク挿排部に挿入された前記第１のディスク、前記ディスク挿排部の幅方向の一端部を通過する前記第２のディスク、前記ディスク挿排部の幅方向の他端部を通過する前記第２のディスク又は前記中空ディスクを、前記接触検出時厚み検出手段及び前記非検出ディスク厚み検出手段の少なくとも一方が検出し、前記接触検出時厚み検出手段及び前記非検出ディスク厚み検出手段の双方が検出しなくなる以前に、前記ディスク通過時厚み検出手段及び前記ディスク通過時接触検出手段の少なくとも一方が検出し、前記ディスク挿排部に挿入された前記ディスク挿排部の幅方向の中央部を通過する前記第２のディスクを、前記接触検出時厚み検出手段及び前記非検出ディスク厚み検出手段の少なくとも一方が検出し、前記接触検出時厚み検出手段及び前記非検出ディスク厚み検出手段の双方が検出しなくなる以前に、前記ディスク通過時厚み検出手段及び前記ディスク通過時接触検出手段の双方が検出しない位置に配置され、前記識別手段は、前記接触検出時厚み検出手段及び前記非検出ディスク厚み検出手段の少なくとも一方が前記ディスクを検出して、前記接触検出時厚み検出手段及び前記非検出ディスク厚み検出手段の双方が検出しなくなる以前の前記ディスク通過時接触検出手段及び前記ディスク通過時厚み検出手段の検出結果に基づいて、前記ディスクの種類を識別する構成を有している。
【００２５】
この構成により、ディスク挿排部に挿入されたディスクが、ディスク挿排部の幅方向の中央部を通過する第２のディスクである場合、ディスク挿排部に挿入されたディスクが、ディスク挿排部の幅方向の中央部を通過する第２のディスクであることをディスクの光透過率の大小にかかわらず、安定して識別することができる。
【００２６】
また、本発明のディスク識別装置は、前記ディスクの厚み方向に接触することによって通過する前記ディスクを検出し、前記ディスク挿排部を通過する前記第２のディスクのうち前記接触検出時厚み検出手段によって検出されない前記第２のディスクを少なくとも検出する位置に配置される非検出ディスク厚み検出手段と、前記ディスクの接触によって通過する前記ディスクを検出するディスク通過時接触検出手段とを備え、前記接触検出時厚み検出手段、前記非検出ディスク厚み検出手段、前記ディスク通過時厚み検出手段及び前記ディスク通過時接触検出手段は、前記ディスク挿排部に挿入された前記第１のディスク、前記ディスク挿排部の幅方向の一端部を通過する前記第２のディスク、前記ディスク挿排部の幅方向の他端部を通過する前記第２のディスク又は前記中空ディスクを、前記接触検出時厚み検出手段及び前記非検出ディスク厚み検出手段の少なくとも一方が検出し、前記接触検出時厚み検出手段及び前記非検出ディスク厚み検出手段の双方が検出しなくなる以前に、前記ディスク通過時厚み検出手段及び前記ディスク通過時接触検出手段の少なくとも一方が検出し、前記ディスク挿排部に挿入された前記ディスク挿排部の幅方向の中央部を通過する前記第２のディスクを、前記接触検出時厚み検出手段及び前記非検出ディスク厚み検出手段の少なくとも一方が検出し、前記接触検出時厚み検出手段及び前記非検出ディスク厚み検出手段の双方が検出しなくなる以前に、前記ディスク通過時厚み検出手段及び前記ディスク通過時接触検出手段の双方が検出しない位置に配置され、前記識別手段は、前記接触検出時厚み検出手段及び前記非検出ディスク厚み検出手段の少なくとも一方が前記ディスクを検出し、前記接触検出時厚み検出手段及び前記非検出ディスク厚み検出手段の双方が検出しなくなる以前の前記ディスク通過時接触検出手段及び前記ディスク通過時厚み検出手段の検出結果に基づいて、前記ディスクの種類を識別する構成を有している。
【００２７】
この構成により、ディスク挿排部に挿入されたディスクが、ディスク挿排部の幅方向の中央部を通過する第２のディスクである場合、ディスク挿排部に挿入されたディスクが、ディスク挿排部の幅方向の中央部を通過する第２のディスクであることをディスクの光透過率の大小にかかわらず、安定して識別することができる。
【００２８】
また、本発明のディスク識別装置は、前記ディスクの厚み方向に接触することによって通過する前記ディスクを検出し、前記ディスク挿排部を通過する前記第２のディスクのうち前記接触検出時厚み検出手段によって検出されない第２のディスクを少なくとも検出する位置に配置される非検出ディスク厚み検出手段を備え、前記接触検出時厚み検出手段、前記非検出ディスク厚み検出手段、前記ディスク通過時厚み検出手段及び前記ディスク通過時接触検出手段は、前記ディスク挿排部に挿入された前記第１のディスク、前記ディスク挿排部の幅方向の一端部を通過する前記第２のディスク、前記ディスク挿排部の幅方向の他端部を通過する前記第２のディスク又は前記中空ディスクを、前記接触検出時厚み検出手段及び前記非検出ディスク厚み検出手段の少なくとも一方が検出し、前記接触検出時厚み検出手段及び前記非検出ディスク厚み検出手段の双方が検出しなく以前に、前記ディスク通過時厚み検出手段及び前記ディスク通過時接触検出手段の少なくとも一方が検出し、前記ディスク挿排部に挿入された前記ディスク挿排部の幅方向の中央部を通過する前記第２のディスクを、前記接触検出時厚み検出手段及び前記非検出ディスク厚み検出手段の少なくとも一方が検出し、前記接触検出時厚み検出手段及び前記非検出ディスク厚み検出手段の双方が検出しなくなる以前に、前記ディスク通過時厚み検出手段及び前記ディスク通過時接触検出手段の双方が検出しない位置に配置され、前記識別手段は、前記接触検出時厚み検出手段及び前記非検出ディスク厚み検出手段の少なくとも一方が前記ディスクを検出し、前記接触検出時厚み検出手段及び前記非検出ディスク厚み検出手段の双方が検出しなくなる以前の前記ディスク通過時接触検出手段及び前記ディスク通過時厚み検出手段の検出結果に基づいて、前記ディスクの種類を識別する構成を有している。
【００２９】
この構成により、ディスク挿排部に挿入されたディスクが、ディスク挿排部の幅方向の中央部を通過する第２のディスクである場合、ディスク挿排部に挿入されたディスクが、ディスク挿排部の幅方向の中央部を通過する第２のディスクであることをディスクの光透過率の大小にかかわらず、安定して識別することができる。
【００３０】
また、本発明のディスク識別装置は、前記ディスクの厚み方向に接触することによって通過する前記ディスクを検出するディスク通過時厚み検出手段と、前記ディスクの接触によって通過する前記ディスクを検出するディスク通過時接触検出手段とを備え、前記ディスク通過時厚み検出手段及び前記ディスク通過時接触検出手段は、前記ディスク挿排部に挿入された前記ディスク挿排部の幅方向の一端部を通過する前記第２のディスクを、最初に前記ディスク通過時厚み検出手段が検出したときに前記ディスク通過時接触検出手段が検出せず、或いは、前記ディスク通過時厚み検出手段に検出されずに前記ディスク挿排部に挿入された前記中空ディスクを、最初に前記ディスク通過時厚み検出手段が検出したときに前記ディスク通過時接触検出手段が検出する位置に配置され、前記識別手段は、前記端部通過時接触検出手段が前記ディスクを検出するときの前記接触検出時厚み検出手段の検出結果と、前記ディスク通過時厚み検出手段が前記ディスク挿排部に挿入される前記ディスクを最初に検出するときの前記ディスク通過時接触検出手段の検出結果とに基づいて、前記ディスクの種類を識別する構成を有している。
【００３１】
この構成により、ディスク挿排部に挿入されたディスクが中空ディスクである場合、ディスク挿排部に挿入されたディスクが中空ディスクであることをディスクの光透過率の大小にかかわらず、安定して識別することができる。
【００３２】
また、本発明のディスク識別装置は、前記ディスクの接触によって通過する前記ディスクを検出するディスク通過時接触検出手段を備え、前記ディスク通過時厚み検出手段及び前記ディスク通過時接触検出手段は、前記ディスク挿排部に挿入された前記ディスク挿排部の幅方向の一端部を通過する前記第２のディスクを、最初に前記ディスク通過時厚み検出手段が検出したときに前記ディスク通過時接触検出手段に検出せず、或いは、前記ディスク通過時厚み検出手段に検出されずに前記ディスク挿排部に挿入された前記中空ディスクを、最初に前記ディスク通過時厚み検出手段が検出したときに前記ディスク通過時接触検出手段が検出する位置に配置され、前記識別手段は、前記端部通過時接触検出手段が前記ディスクを検出するときの前記接触検出時厚み検出手段の検出結果と、前記ディスク通過時厚み検出手段が前記ディスク挿排部に挿入される前記ディスクを最初に検出するときの前記ディスク通過時接触検出手段の検出結果とに基づいて、前記ディスクの種類を識別する構成を有している。
【００３３】
この構成により、ディスク挿排部に挿入されたディスクが中空ディスクである場合、ディスク挿排部に挿入されたディスクが中空ディスクであることをディスクの光透過率の大小にかかわらず、安定して識別することができる。
【００３４】
また、本発明のディスク識別装置は、前記ディスク通過時厚み検出手段及び前記ディスク通過時接触検出手段は、前記ディスク挿排部に挿入された前記ディスク挿排部の幅方向の一端部を通過する前記第２のディスクを、最初に前記ディスク通過時厚み検出手段が検出したときに前記ディスク通過時接触検出手段が検出せず、或いは、前記ディスク通過時厚み検出手段に検出されずに前記ディスク挿排部に挿入された前記中空ディスクを、最初に前記ディスク通過時厚み検出手段が検出したときに前記ディスク通過時接触検出手段が検出する位置に配置され、前記識別手段は、前記端部通過時接触検出手段が前記ディスクを検出するときの前記接触検出時厚み検出手段の検出結果と、前記ディスク通過時厚み検出手段が前記ディスク挿排部に挿入される前記ディスクを最初に検出するときの前記ディスク通過時接触検出手段の検出結果とに基づいて、前記ディスクの種類を識別する構成を有している。
【００３５】
この構成により、ディスク挿排部に挿入されたディスクが中空ディスクである場合、ディスク挿排部に挿入されたディスクが中空ディスクであることをディスクの光透過率の大小にかかわらず、安定して識別することができる。
【００３６】
また、本発明のディスク識別装置は、前記接触検出時厚み検出手段は、前記端部通過時接触検出手段に検出されるときの前記第１のディスク、前記第２のディスク、及び、前記中空ディスクを検出する位置に配置され、前記識別手段は、前記端部通過時接触検出手段が前記ディスクを検出するときの前記接触検出時厚み検出手段の検出結果に基づいて、前記ディスクの種類を識別する構成を有している。
【００３７】
この構成により、ディスク挿排部に挿入されたディスクが第１のディスクである場合、ディスク挿排部に挿入されたディスクが第１のディスクであることをディスクの光透過率の大小にかかわらず、安定して識別することができる。
【００３８】
また、本発明のディスク識別装置は、前記厚み検出手段は、前記ディスクと接触する部分にローラ部材を備えたディスク厚み接触部材と、前記ディスク厚み接触部材の変位を検出するセンサー部材と、を備える構成を有している。
【００３９】
この構成により、ディスクと接触部材の接触によって発生する傷を防止できるとともに、ディスク挿排部に挿入されたディスクの種類をディスクの光透過率の大小にかかわらず、安定して識別することができる。
【００４０】
また、本発明のディスク識別装置は、前記第１のディスクの直径が１２ｃｍであり、前記第２のディスクの直径が８ｃｍである構成を有している。
【００４１】
この構成により、第１のディスクが１２ｃｍディスクであり、第２のディスクが８ｃｍディスクであり、中空ディスクが１２ｃｍの外径であり、中心部に８ｃｍディスクを保持することができる直径８ｃｍの中空穴が形成されるアダプタ（以下、１２ｃｍアダプタという。）である構成に対応することができ、ディスクの種類をディスクの光透過率の大小にかかわらず、安定して識別することができる。なお、中心部に８ｃｍディスクを保持した１２ｃｍアダプタを１２ｃｍディスクと同様に取り扱う。
【００４２】
本発明のディスク挿排装置は、本発明のディスク識別装置と、前記ディスクを搬送して挿排する搬送手段と、前記識別手段の識別結果に基づいて、前記搬送手段による前記ディスクの挿排動作を制御する制御手段とを備える構成を有している。
【００４３】
この構成により、ディスク挿排部に挿入されたディスクの種類をディスクの光透過率の大小にかかわらず、安定して識別することができる。
【００４４】
また、本発明のディスク挿排装置は、本発明のディスク識別装置と、前記ディスクを搬送して挿排する搬送手段と、前記端部通過時接触検出手段が前記ディスクを検出するときに前記接触検出時厚み検出手段が前記ディスクを検出する場合、前記識別手段による識別結果に基づいて、前記搬送手段に前記ディスクを挿入させるように、前記搬送手段による前記ディスクの挿排動作を制御する制御手段とを備える構成を有している。
【００４５】
この構成により、ディスク挿排部に挿入されたディスクの種類をディスクの光透過率の大小にかかわらず、安定して識別することができる。
【００４６】
また、本発明のディスク挿排装置は、本発明のディスク識別装置と、前記ディスクを搬送して挿排する搬送手段と、前記端部通過時接触検出手段が前記ディスクを検出するときに前記接触検出時厚み検出手段が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００４７】
この構成により、ディスク挿排部に挿入された中空ディスク、或いは、ディスク挿排部の幅方向の一端部を通過する第２のディスクをディスクの光透過率の大小にかかわらず、安定して外部に排出することができる。
【００４８】
また、本発明のディスク挿排装置は、本発明のディスク識別装置と、前記ディスクを搬送して挿排する搬送手段と、前記通過ディスク厚み検出手段が前記ディスク挿排部に挿入される前記ディスクを最初に検出するときに前記接触検出時厚み検出手段が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００４９】
この構成により、ディスク挿排部の幅方向の一端部を通過する第２のディスクをディスクの光透過率の大小にかかわらず、安定して外部に排出することができる。
【００５０】
また、本発明のディスク挿排装置は、本発明のディスク識別装置と、前記ディスクを搬送して挿排する搬送手段と、前記ディスク通過時厚み検出手段が前記ディスク挿排部に挿入される前記ディスクを最初に検出するときに前記通過ディスク厚み検出手段が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００５１】
この構成により、ディスク挿排部の幅方向の他端部を通過する第２のディスクをディスクの光透過率の大小にかかわらず、安定して外部に排出することができる。
【００５２】
また、本発明のディスク挿排装置は、本発明のディスク識別装置と、前記ディスクを搬送して挿排する搬送手段と、前記ディスク通過時厚み検出手段が前記ディスク挿排部に挿入される前記ディスクを最初に検出するときに前記ディスク通過時接触検出手段が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００５３】
この構成により、ディスク挿排部の幅方向の他端部を通過する第２のディスクをディスクの光透過率の大小にかかわらず、安定して外部に排出することができる。
【００５４】
また、本発明のディスク挿排装置は、本発明のディスク識別装置と、前記ディスクを搬送して挿排する搬送手段と、前記接触検出時厚み検出手段及び前記非検出ディスク厚み検出手段の少なくとも一方が前記ディスクを検出して、前記接触検出時厚み検出手段及び前記非検出ディスク厚み検出手段の双方が検出しなくなる以前に、前記ディスク通過時接触検出手段及び前記ディスク通過時厚み検出手段の双方が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００５５】
この構成により、ディスク挿排部の幅方向の中央部を通過する第２のディスクをディスクの光透過率の大小にかかわらず、安定して外部に排出することができる。
【００５６】
また、本発明のディスク挿排装置は、本発明のディスク識別装置と、前記ディスクを搬送して挿排する搬送手段と、前記ディスク通過時厚み検出手段が前記ディスク挿排部に挿入される前記ディスクを最初に検出するときに前記ディスク通過時接触検出手段が前記ディスクを検出し、前記端部通過時接触検出手段が前記ディスクを検出するときに前記接触検出時厚み検出手段が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００５７】
この構成により、本発明のディスク挿排装置は、ディスク挿排部に挿入された中空ディスクをディスクの光透過率の大小にかかわらず、安定して外部に排出することができる。
【００５８】
また、本発明のディスク挿排装置は、本発明のディスク識別装置と、前記ディスクを搬送して挿排する搬送手段と、前記端部通過時接触検出手段が前記ディスクを検出するときに前記厚み検出手段が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００５９】
この構成により、ディスク挿排部に挿入されたディスクの種類をディスクの光透過率の大小にかかわらず、安定してディスクの挿排動作を行うことができる。
【００６０】
また、本発明のディスク挿排装置は、本発明のディスク識別装置と、前記ディスクを搬送して挿排する搬送手段と、前記通過ディスク厚み検出手段が前記ディスク挿排部に挿入される前記ディスクを最初に検出するときに前記接触検出時厚み検出手段が前記ディスクを検出しない場合、前記識別手段による識別結果に基づいて、前記搬送手段に前記ディスクを挿入させるように、前記搬送手段による前記ディスクの挿排動作を制御する制御手段とを備える構成を有している。
【００６１】
この構成により、ディスク挿排部の幅方向の一端部を通過する第２のディスクをディスクの光透過率の大小にかかわらず、安定して内部に挿入することができる。
【００６２】
また、本発明のディスク挿排装置は、本発明のディスク識別装置と、前記ディスクを搬送して挿排する搬送手段と、前記ディスク通過時厚み検出手段が前記ディスク挿排部に挿入される前記ディスクを最初に検出するときに前記通過ディスク厚み検出手段が前記ディスクを検出しない場合、前記識別手段による識別結果に基づいて、前記搬送手段に前記ディスクを挿入させるように、前記搬送手段による前記ディスクの挿排動作を制御する制御手段とを備える構成を有している。
【００６３】
この構成により、ディスク挿排部の幅方向の他端部を通過する第２のディスクをディスクの光透過率の大小にかかわらず、安定して内部に挿入することができる。
【００６４】
また、本発明のディスク挿排装置は、本発明のディスク識別装置と、前記ディスクを搬送して挿排する搬送手段と、前記ディスク通過時厚み検出手段が前記ディスク挿排部に挿入される前記ディスクを最初に検出するときに前記ディスク通過時接触検出手段が前記ディスクを検出しない場合、前記識別手段による識別結果に基づいて、前記搬送手段に前記ディスクを挿入させるように、前記搬送手段による前記ディスクの挿排動作を制御する制御手段とを備える構成を採る。
【００６５】
この構成により、ディスク挿排部の幅方向の他端部を通過する第２のディスクをディスクの光透過率の大小にかかわらず、安定して内部に挿入することができる。
【００６６】
また、本発明のディスク挿排装置は、本発明のディスク識別装置と、前記ディスクを搬送して挿排する搬送手段と、前記接触検出時厚み検出手段及び前記非検出ディスク厚み検出手段の少なくとも一方が前記ディスクを検出して、前記接触検出時厚み検出手段及び前記非検出ディスク厚み検出手段の双方が検出しなくなる以前に、前記ディスク通過時接触検出手段及び前記ディスク通過時厚み検出手段の双方が前記ディスクを検出しない場合、前記識別手段による識別結果に基づいて、前記搬送手段に前記ディスクを挿入させるように、前記搬送手段による前記ディスクの挿排動作を制御する制御手段とを備える構成を採る。
【００６７】
この構成により、ディスク挿排部の幅方向の中央部を通過する第２のディスクをディスクの光透過率の大小にかかわらず、安定して内部に挿入することができる。
【００６８】
また、本発明のディスク挿排装置は、本発明のディスク識別装置と、前記接触検出時厚み検出手段より前記ディスクの挿入方向下流側に配置され、前記ディスクを搬送して挿排する搬送手段と、前記接触検出時厚み検出手段の検出結果に基づいて、前記搬送手段による前記ディスクの挿入動作を制御する制御手段とを備える構成を有している。
【００６９】
この構成により、接触検出厚み検出手段に検出されるディスクが搬送手段に接触しながら搬送手段より挿入方向下流側に半分以上手動で挿入される前に、ディスクの光透過率の大小にかかわらず、安定してディスクを搬送手段によって挿入し始めることができ、操作フィーリングを向上することができる。
【００７０】
また、本発明のディスク挿排装置は、本発明のディスク挿排装置において、前記接触検出時厚み検出手段は、前記ディスク挿排部に挿入され、前記ディスク挿排部の幅方向の他端部を通過する前記第２のディスクが前記搬送手段に接触する前に、前記第２のディスクを検出する位置に配置される構成を有している。
【００７１】
この構成により、ディスク挿排部の幅方向の他端部を通過する第２のディスクが搬送手段に接触する前にディスクの光透過率の大小にかかわらず、安定して搬送手段を駆動して、第２のディスクが搬送手段まで手動で挿入されて搬送手段に接触した時点から、第２のディスクを搬送手段によって挿入し始めることができ、操作フィーリングを向上することができる。
【００７２】
また、本発明のディスク挿排装置は、本発明のディスク識別装置と、前記非検出ディスク厚み検出手段より前記ディスクの挿入方向下流側に配置され、前記ディスクを搬送して挿排する搬送手段と、前記非検出ディスク厚み検出手段の検出結果に基づいて、前記搬送手段による前記ディスクの挿入動作を制御する制御手段とを備える構成を有している。
【００７３】
この構成により、非検出ディスク厚み検出手段に検出されるディスクが搬送手段に接触しながら搬送手段より挿入方向下流側に半分以上手動で挿入される前に、ディスクの光透過率の大小にかかわらず、安定してディスクを搬送手段によって挿入し始めることができ、操作フィーリングを向上することができる。
【００７４】
また、本発明のディスク挿排装置は、本発明のディスク挿排装置において、前記非検出ディスク厚み検出手段は、前記ディスク挿排部に挿入された前記第１のディスクが前記搬送手段に接触する前に、前記第１のディスクを検出する位置に配置される構成を有している。
【００７５】
この構成により、ディスク挿排部に挿入された第１のディスク、又は、第１のディスクと外径が略同一である中空ディスクが搬送手段に接触する前にディスクの光透過率の大小にかかわらず、安定して搬送手段を駆動して、第１のディスク又は中空ディスクが搬送手段まで手動で挿入されて搬送手段に接触した時点から、第１のディスク又は中空ディスクを搬送手段によって挿入し始めることができ、操作フィーリングを向上することができる。
【００７６】
また、本発明のディスク挿排装置は、本発明のディスク挿排装置において、前記非検出ディスク厚み検出手段は、前記ディスク挿排部に挿入され、前記ディスク挿排部の幅方向の中央部を通過する前記第２のディスクが前記搬送手段に接触する前に、前記第２のディスクを検出する位置に配置される構成を有している。
【００７７】
この構成により、ディスク挿排部の幅方向の中央部を通過する第２のディスクが搬送手段に接触する前にディスクの光透過率の大小にかかわらず、安定して搬送手段を駆動して、第２のディスクが搬送手段まで手動で挿入されて搬送手段に接触した時点から、第２のディスクを搬送手段によって挿入し始めることができ、操作フィーリングを向上することができる。
【００７８】
また、本発明のディスク挿排装置は、本発明のディスク挿排装置において、前記非検出ディスク厚み検出手段は、前記ディスク挿排部に挿入され、前記ディスク挿排部の幅方向の一端部を通過する前記第２のディスクが前記搬送手段に接触する前に、前記第２のディスクを検出する位置に配置される構成を有している。
【００７９】
この構成により、ディスク挿排部の幅方向の一端部を通過する第２のディスクが搬送手段に接触する前にディスクの光透過率の大小にかかわらず、安定して搬送手段を駆動して、第２のディスクが搬送手段まで手動で挿入されて搬送手段に接触した時点から、第２のディスクを搬送手段によって挿入し始めることができ、操作フィーリングを向上することができる。
【００８０】
また、本発明のディスク挿排装置は、本発明のディスク識別装置と、前記ディスク通過時接触検出手段より前記ディスクの挿入方向下流側に配置され、前記ディスクを搬送して挿排する搬送手段と、前記ディスク通過時接触検出手段の検出結果に基づいて、前記搬送手段による前記ディスクの挿入動作を制御する制御手段とを備える構成を有している。
【００８１】
この構成により、ディスク通過時接触検出手段に検出されるディスクが搬送手段に接触しながら搬送手段より挿入方向下流側に半分以上手動で挿入される前に、ディスクの光透過率の大小にかかわらず、安定してディスクを搬送手段によって挿入し始めることができ、操作フィーリングを向上することができる。
【００８２】
また、本発明のディスク挿排装置は、本発明のディスク識別装置と、前記端部通過時接触検出手段及び前記接触検出時厚み検出手段より前記ディスクの挿入方向下流側に配置され、前記ディスクを搬送して挿排する搬送手段と、前記端部通過時接触検出手段が前記ディスクを検出するときの前記接触検出時厚み検出手段の検出結果に基づいた前記識別手段による識別結果に基づいて、前記搬送手段による前記ディスクの挿排動作を制御する制御手段を備える構成を有している。
【００８３】
この構成により、ディスクが搬送手段より挿入方向下流側に半分以上挿入される前に、ディスクを内部に挿入するか、或いは、外部に排出するかをディスクの光透過率の大小にかかわらず、確実に判断して、搬送手段によって挿入或いは排出し始めることができ、操作フィーリングを向上することができる。
【００８４】
また、本発明のディスク挿排装置は、本発明のディスク識別装置と、前記ディスクを挿排し、挿入中の前記ディスクとの接触が外れる前に前記識別手段による前記ディスクの識別が終了する位置に配置される搬送手段と、前記識別手段による識別結果に基づいて、前記搬送手段による前記ディスクの挿排動作を制御する制御手段とを備える構成を有している。
【００８５】
この構成により、ディスクが搬送手段と接触している間に、ディスクを内部に挿入するか、或いは、外部に排出するかをディスクの光透過率の大小にかかわらず、確実に判断して、搬送手段によって挿入或いは排出することができ、排出すべきディスクを誤って挿入することを防止することができる。
【００８６】
また、本発明のディスク挿排装置は、本発明のディスク識別装置と、前記ディスクを搬送して挿排する搬送手段と、前記通過ディスク厚み検出手段の検出結果に基づいて、前記搬送手段による前記ディスクの排出動作を制御する制御手段とを備え、前記通過ディスク厚み検出手段は、前記第１のディスクが前記ディスク挿排部から排出されるとき、前記第１のディスクを検出した後、前記搬送手段に接触中の前記第１のディスクを検出しなくなる位置に配置される構成を有している。
【００８７】
この構成により、外部に排出中の第１のディスク、又は、第１のディスクと外径が略同一である中空ディスクが搬送手段に接触している間に、搬送手段による第１のディスク又は中空ディスクの排出をディスクの光透過率の大小にかかわらず、確実に停止することができ、外部に排出する第１のディスク又は中空ディスクが装置から落下することを防止することができる。
【００８８】
また、本発明のディスク挿排装置は、本発明のディスク識別装置と、前記ディスクを搬送して挿排する搬送手段と、前記通過ディスク厚み検出手段の検出結果に基づいて、前記搬送手段による前記ディスクの排出動作を制御する制御手段とを備え、前記通過ディスク厚み検出手段は、前記ディスク挿排部の幅方向の中央部を通過する前記第２のディスクが前記ディスク挿排部から排出されるとき、前記第２のディスクを検出した後、前記搬送手段に接触中の前記第２のディスクを検出しなくなる位置に配置される構成を有している。
【００８９】
この構成により、外部に排出中のディスク挿排部の幅方向の中央部を通過する第２のディスクが搬送手段に接触している間に、搬送手段による第２のディスクの排出をディスクの光透過率の大小にかかわらず、確実に停止することができ、外部に排出する第２のディスクが装置から落下することを防止することができる。
【００９０】
また、本発明のディスク挿排装置は、本発明のディスク識別装置と、前記ディスクを搬送して挿排する搬送手段と、前記通過ディスク厚み検出手段の検出結果に基づいて、前記搬送手段による前記ディスクの排出動作を制御する制御手段とを備え、前記通過ディスク厚み検出手段は、前記ディスク挿排部の幅方向の一端部を通過する前記第２のディスクが前記ディスク挿排部から排出されるとき、前記第２のディスクを検出した後、前記搬送手段に接触中の前記第２のディスクを検出しなくなる位置に配置される構成を有している。
【００９１】
この構成により、外部に排出中のディスク挿排部の幅方向の一端部を通過する第２のディスクが搬送手段に接触している間に、搬送手段による第２のディスクの排出をディスクの光透過率の大小にかかわらず、確実に停止することができ、外部に排出する第２のディスクが装置から落下することを防止することができる。
【００９２】
また、本発明のディスク挿排装置は、本発明のディスク識別装置と、前記ディスクを搬送して挿排する搬送手段と、前記ディスク通過時厚み検出手段の検出結果に基づいて、前記搬送手段による前記ディスクの排出動作を制御する制御手段とを備え、前記ディスク通過時厚み検出手段は、前記ディスク挿排部の幅方向の他端部を通過する前記第２のディスクが前記ディスク挿排部から排出されるとき、前記第２のディスクを検出した後、前記搬送手段に接触中の前記第２のディスクを検出しなくなる位置に配置される構成を有している。
【００９３】
この構成により、外部に排出中のディスク挿排部の幅方向の他端部を通過する第２のディスクが搬送手段に接触している間に、搬送手段による第２のディスクの排出をディスクの光透過率の大小にかかわらず、確実に停止することができ、外部に排出する第２のディスクが装置から落下することを防止することができる。
【００９４】
また、本発明のディスク挿排装置は、本発明のディスク識別装置と、前記ディスクを搬送して挿排する搬送手段と、前記識別手段の識別結果に基づいて、前記搬送手段による前記ディスクの挿排動作を制御する制御手段とを備え、前記制御手段は、前記搬送手段に前記ディスクを挿入させているとき、前記端部通過時接触検出手段が前記ディスクを複数回検出する場合、前記搬送手段による前記ディスクの挿入動作を停止させる構成を有している。
【００９５】
この構成により、一回の挿入動作で内部に複数枚のディスクが挿入された場合、ディスクの搬送を停止するので、一回の挿入動作で内部に複数枚のディスクが挿入されることを防止することができ、故障することを防止することができる。
【００９６】
また、本発明のディスク挿排装置は、本発明のディスク識別装置と、前記ディスクを搬送して挿排する搬送手段と、前記識別手段の識別結果に基づいて、前記搬送手段による前記ディスクの挿排動作を制御する制御手段とを備え、前記制御手段は、前記搬送手段に前記ディスクを挿入させているとき、前記端部通過時接触検出手段が前記ディスクを複数回検出する場合、前記搬送手段に前記ディスクを排出させる構成を有している。
【００９７】
この構成により、一回の挿入動作で内部に複数枚のディスクが挿入された場合、ディスクを外部に排出するので、一回の挿入動作で内部に複数枚のディスクが挿入されることを防止することができ、故障することを防止することができる。
【００９８】
また、本発明のディスク挿排装置は、本発明のディスク挿排装置において、前記ディスク挿排部は、前記ディスクと接触することによって、複数枚以上が重なった前記ディスクの通過を規制する規制部を備える構成を有している。
【００９９】
この構成により、一回の挿入動作で内部に複数枚のディスクが挿入されることを防止することができ、故障することを防止することができる。
【０１００】
また、本発明のディスク挿排装置は、本発明のディスク挿排装置において、前記搬送手段と接触することによって、前記搬送手段が前記ディスク挿排部を通過する前記ディスクの厚み方向に移動することを制限する制限手段を備える構成を有している。
【０１０１】
この構成により、一回の挿入動作で内部に複数枚のディスクが挿入されることを防止することができ、故障することを防止することができる。
【０１０２】
また、本発明のディスク挿排装置は、本発明のディスク挿排装置において、前記制御手段は、前記搬送手段による前記ディスクの挿入開始から一定時間が経過した後、前記搬送手段に前記ディスクを排出させる構成を有している。
【０１０３】
この構成により、一回の挿入動作で内部に複数枚のディスクが挿入された場合、ディスクを外部に排出することができる。
【０１０４】
また、本発明のディスク挿排装置は、本発明のディスク挿排装置において、前記第１のディスクの直径が１２ｃｍであり、前記第２のディスクの直径が８ｃｍである構成を有している。
【０１０５】
この構成により、第１のディスクが１２ｃｍディスクであり、第２のディスクが８ｃｍディスクであり、中空ディスクが１２ｃｍの外径であり、中心部に８ｃｍディスクを保持することができる直径８ｃｍの中空穴が形成されるアダプタ（以下、１２ｃｍアダプタという。）である構成に対応することができ、ディスクの種類をディスクの光透過率の大小にかかわらず、安定して挿入することができる。なお、中心部に８ｃｍディスクを保持した１２ｃｍアダプタを１２ｃｍディスクと同様に取り扱う。
【０１０６】
本発明のディスク装置は、本発明のディスク挿排装置を備える構成を有している。
【０１０７】
この構成により、ディスクの種類をディスクの光透過率の大小にかかわらず、安定して識別することができる。
【０１０８】
本発明の電子装置は、本発明のディスク装置を備える構成を採る。
【０１０９】
この構成により、ディスクの種類をディスクの光透過率の大小にかかわらず、安定して識別することができる。
【０１１０】
本発明の車載用電子装置は、本発明のディスク装置を備える構成を採る。
【０１１１】
この構成により、ディスクの種類をディスクの光透過率の大小にかかわらず、安定して識別することができる。
【発明の効果】
【０１１２】
以上のように本発明は、第１のディスク、前記第１のディスクより外径が小さい第２のディスク、前記第１のディスクと外径が略同一であり、中心部に前記第２のディスクと半径が略同一である中空穴が形成された中空ディスクを含むディスクを挿排するディスク挿排部と、前記ディスクの接触によって前記ディスク挿排部の幅方向の一端部を通過する前記ディスクを検出する端部通過時接触検出手段と、前記ディスクの厚み方向に接触することによって通過する前記ディスクを検出する接触検出時厚み検出手段と、前記端部通過時接触検出手段が前記ディスクを検出するときの前記接触検出時厚み検出手段の検出結果に基づいて前記ディスクの種類を識別する識別手段とを備え、前記接触検出時厚み検出手段は、前記端部通過時接触検出手段が前記中空ディスクを検出したときに前記中空ディスクを検出しない位置に配置されるディスク識別装置を設けることにより、ディスク挿排部に挿入されたディスクが第１のディスク、中空ディスクの何れかである場合、ディスク挿排部に挿入されたディスクが第１のディスク又は中空ディスクのいずれかであるかを、ディスクの光透過率の大小にかかわらず、安定して識別することができるという効果を有するディスク識別装置と、このディスク識別装置を備えたディスク挿排装置及びディスク装置を提供することができるものである。
【発明を実施するための最良の形態】
【０１１３】
以下、本発明の一実施の形態に係るディスク識別装置と、このディスク識別装置を備えたディスク挿排装置及びディスク装置について、図面を用いて説明する。
【０１１４】
図１、図２及び図３において、本実施の形態に係るディスク装置は、基台１０１を備えており、この基台１０１には、挿入された１２ｃｍディスク１１１などのディスクの通過方向（即ち、ローディング方向及びイジェクト方向）に略直交する幅方向（矢印２０１の示す方向）の移動を規制し、挿入経路を形成するディスクガイド部材１０２と、挿入されたディスクに接触し、動力を伝達することによってディスクを搬送し、ディスクの挿入（ローディング）及び排出（イジェクト）を行う搬送手段としてのローラ部材１０３と、挿入されたディスクに対して下方向（図３の矢印２０２の示す方向）にローラ部材１０３を付勢する弾性部材（図示していない）と、ローラ部材１０３に設けられたギヤ１０３ａと係合し、ローラ部材１０３を回転させる動力源（図示していない）とが設けられている。
【０１１５】
ここで、ディスクガイド部材１０２と、ローラ部材１０３は、ディスク装置の内部に挿入されたディスクを挟み、ローディング方向又はイジェクト方向に搬送するようになっており、ディスクを挿排するディスク挿排部１００を形成している。なお、ディスク挿排部１００は、１２ｃｍディスク（第１のディスク）や、１２ｃｍディスクより外径が小さい８ｃｍディスク（第２のディスク）などのディスクを通過させることができるように、幅が１２ｃｍディスクの外径と略同一の長さ（約１２ｃｍ）となっている。
【０１１６】
ディスクガイド部材１０２のディスク挿排部１００の内部側には、挿入されるディスクと接触することによって、挿入されるディスクの厚み方向を規制し、複数枚が重なったディスクの通過を規制する規制部としての突起１０２ａ、１０２ｂが設けられており、ディスク装置の内部への複数枚のディスクの同時挿入を防止するようにしている。より詳細に説明すると、ディスク装置の内部に１枚のディスクが挿入された場合には、挿入されたディスクはディスクガイド部材１０２の本体１０２ｃと突起１０２ａ、１０２ｂとの間を通過できるが、複数枚のディスクが挿入された場合には、挿入された複数枚のディスクはディスクガイド部材１０２の本体１０２ｃと突起１０２ａ、１０２ｂとの間を通過することができない。
【０１１７】
また、基台１０１には、ローラ部材１０３の中央に設けられた軸部材１０３ｂと接触することによって、ローラ部材１０３がディスク挿排部１００を通過するディスクの厚み方向（図２の矢印２０３の示す方向）に移動することを制限する制限手段としての突起１０１ａと、突起１０２ｂの上方向（図２の矢印２０３の示す方向）への変位を規制する突起１０１ｂとが設けられており、ディスク装置の内部への複数枚のディスクの同時挿入を防止するようにしている。より詳細に説明すると、ディスク装置の内部に１枚のディスクが挿入された場合には、挿入されたディスクはディスクガイド部材１０２とローラ部材１０３との間を通過できるが、複数枚のディスクが挿入された場合には、基台１０１の突起１０１ａとローラ部材１０３の軸部材１０３ｂとが接触することによって、挿入されたディスクはディスクガイド部材１０２とローラ部材１０３との間を通過することができない。
【０１１８】
また、ディスク装置は、筐体（図示していない）を備えており、その筐体には、ディスクガイド部材１０２に対してローラ部材１０３側に、ディスクがディスク装置の内部に挿入された際に、ディスクの外周と接触する軸部１０４ａを有するレバー部材１０４と、ディスクがディスク装置の内部に挿入された際にディスクのローラ部材１０３側と接触するローラ部材１０６ａを有するレバー部材１０６と、ディスクがディスク装置の内部に挿入された際にディスクのローラ部材１０３側と接触するローラ部材１０７ａを有するレバー部材１０７と、ディスクがディスク装置の内部に挿入された際にディスクのローラ部材１０３側と接触するローラ部材１０８ａを有するレバー部材１０８と、ディスクがディスク装置の内部に挿入された際にディスクのローラ部材１０３側と接触するローラ部材１０９ａを有するレバー部材１０９や、レバー部材１０４に設けられた突起１０４ｂに接触することで、レバー部材１０４の変位を検出するプッシュスイッチ１０５ａ、１０５ｂと、レバー部材１０６に設けられた突起１０６ｂ（図４参照）に接触することで、レバー部材１０６の変位を検出するプッシュスイッチ１１０ａと、レバー部材１０７に設けられた突起１０７ｂに接触することで、レバー部材１０７の変位を検出するプッシュスイッチ１１０ｂと、レバー部材１０８に設けられた突起１０８ｂに接触することで、レバー部材１０８の変位を検出するプッシュスイッチ１１０ｃと、レバー部材１０９に設けられた突起１０９ｂに接触することで、レバー部材１０９の変位を検出するプッシュスイッチ１１０ｄと、を備えた上基板（図示していない）や、レバー部材１０４を矢印２０１の示す方向で図１に示す位置に付勢する弾性部材（図示していない）が設けられている。
【０１１９】
また、ディスク装置には、ディスクに接触するローラ部材１０６ａと、上述した筐体（図示していない）に対して軸部材１０６ｃを支点に回動可能に設けられたレバー部材１０６と、レバー部材１０６に設けられた突起１０６ｂに接触することで、レバー部材１０６の変位を検出するプッシュスイッチ１１０ａと、レバー部材１０６を矢印２０４（図１参照）の示す方向に付勢する弾性部材（図示していない）とが設けられている。より詳細に説明すると、図４に示すように、ディスク装置の内部にディスクが挿入されていない状態では、レバー部材１０６は弾性部材（図示していない）により矢印２０４の示す方向に付勢されており、レバー部材１０６の突起１０６ｂはプッシュスイッチ１１０ａに接触していない。ディスク装置の内部にディスクが挿入された場合には、図５に示すように、レバー部材１０６に設けたローラ部材１０６ａがディスクに接触することで、レバー部材１０６は矢印２０５の示す方向に回動し、レバー部材１０６の突起１０６ｂはプッシュスイッチ１１０ａに接触する。
【０１２０】
なお、レバー部材１０７とプッシュスイッチ１１０ｂ、レバー部材１０８とプッシュスイッチ１１０ｃ、レバー部材１０９とプッシュスイッチ１１０ｄもレバー部材１０６とプッシュスイッチ１１０ａと同様に構成されている。
【０１２１】
また、プッシュスイッチ１０５ａ、１０５ｂ、１１０ａ、１１０ｂ、１１０ｃ、１１０ｄは、ディスクを検出している状態のときにＨｉを出力し、ディスクを検出していない状態のときにＬｏを出力するようになっている。
【０１２２】
ここで、レバー部材１０４の軸部１０４ａは、ローラ部材１０３よりディスクの挿入（ローディング）方向上流側に配置されており、またプッシュスイッチ１０５ａは、挿入されたディスクの外周部とレバー部材１０４の軸部１０４ａが接触することでレバー部材１０４が左方向（矢印２０４（図４参照）の示す方向）への移動を開始した直後からレバー部材１０４の変位を検出する位置に設けられている。
【０１２３】
また、プッシュスイッチ１０５ｂは、挿入された１２ｃｍディスク１１１の外周部とレバー部材１０４の軸部１０４ａが接触したときの、レバー部材１０４の矢印２０４（図４参照）の示す方向の最大変位を検出する位置に設けられている。レバー部材１０４及びプッシュスイッチ１０５ｂは、ディスクとの接触によってディスク挿排部１００の幅方向の一端部１００ａを通過するディスクを検出する端部通過時接触検出手段を構成している。
【０１２４】
即ち、プッシュスイッチ１０５ｂは、図６に示すようにディスク挿排部１００を通過する１２ｃｍディスク１１１や、図７に示すようにディスク挿排部１００の幅方向の一端部１００ａを通過する８ｃｍディスク１１２や、図８に示すようにディスク挿排部１００を通過する中空ディスクとしての１２ｃｍアダプタ１１３を検出するようになっている。
【０１２５】
また、レバー部材１０７とプッシュスイッチ１１０ｂは、レバー部材１０７に設けたローラ部材１０７ａがディスクに接触することによって通過するディスクを検出し、図７に示すようにディスク挿排部１００の幅方向の一端部１００ａを通過する８ｃｍディスク１１２がプッシュスイッチ１０５ｂに検出されるときに、８ｃｍディスク１１２を検出せず、また図８に示すように１２ｃｍアダプタ１１３がプッシュスイッチ１０５ｂに検出されるときに、１２ｃｍアダプタ１１３を検出しない位置に配置され、接触検出時厚み検出手段を構成している。
【０１２６】
なお、レバー部材１０７とプッシュスイッチ１１０ｂは、図６に示すように１２ｃｍディスク１１１がプッシュスイッチ１０５ｂに検出されるときに、１２ｃｍディスク１１１を検出するようになっている。
【０１２７】
また、プッシュスイッチ１０５ｂは、挿入された１２ｃｍディスク１１１（図６参照）の外周部とレバー部材１０４の軸部１０４ａが接触したときのレバー部材１０４の矢印２０４（図４参照）の示す方向の最大変位を検出する位置に設けられている場合、図９に示すようにディスク挿排部１００の幅方向の中央部１００ｂを通過する８ｃｍディスク１１２や、図１０に示すようにディスク挿排部１００の幅方向の他端部１００ｃを通過する８ｃｍディスク１１２を検出しないようになっている。
【０１２８】
また、レバー部材１０８とプッシュスイッチ１１０ｃは、レバー部材１０８に設けたローラ部材１０８ａがディスクに接触することによって通過するディスクを検出する通過ディスク厚み検出手段を構成している。レバー部材１０７とプッシュスイッチ１１０ｂ及びレバー部材１０８とプッシュスイッチ１１０ｃは、図１１と図１２に示すように、１２ｃｍディスク１１１、１２ｃｍアダプタ１１３が、ディスク挿排部１００に挿入されて、最初にプッシュスイッチ１１０ｃに検出されるときにプッシュスイッチ１１０ｂに検出され、図１３に示すようにディスク挿排部１００の幅方向の一端部１００ａを通過する８ｃｍディスク１１２が、ディスク挿排部１００に挿入されて、最初にプッシュスイッチ１１０ｃに検出されるときにプッシュスイッチ１１０ｂに検出されない位置に配置されている。
【０１２９】
なお、図９に示すディスク挿排部１００の幅方向の中央部１００ｂを通過する８ｃｍディスク１１２は、ディスク挿排部１００に挿入されて、最初にプッシュスイッチ１１０ｃに検出されるときにプッシュスイッチ１１０ｂに検出されるようになっている。
【０１３０】
また、レバー部材１０９とプッシュスイッチ１１０ｄは、レバー部材１０９に設けたローラ部材１０９ａがディスクに接触することによって通過するディスクを検出するディスク通過時厚み検出手段を構成しており、レバー部材１０９とプッシュスイッチ１１０ｄ及びレバー部材１０８とプッシュスイッチ１１０ｃは、図１４と図１５に示すように、１２ｃｍディスク１１１及び１２ｃｍアダプタ１１３が、ディスク挿排部１００に挿入されて、最初にプッシュスイッチ１１０ｄに検出されるときにプッシュスイッチ１１０ｃに検出され、図７と図９に示すようにディスク挿排部１００の幅方向の一端部１００ａを通過する８ｃｍディスク１１２、ディスク挿排部１００の幅方向の中央部１００ｂを通過する８ｃｍディスク１１２が、プッシュスイッチ１１０ｄに検出されず、図１０に示すようにディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１１０ｃに検出されない位置に配置されている。
【０１３１】
また、レバー部材１０４及びプッシュスイッチ１０５ａは、ディスクとの接触によって通過するディスクを検出するディスク通過時接触検出手段を構成しており、レバー部材１０４の軸部１０４ａ及びプッシュスイッチ１１０ｄは、図１４及び図１５に示すように、１２ｃｍディスク１１１又は１２ｃｍアダプタ１１３が、ディスク挿排部１００に挿入されて、最初にプッシュスイッチ１１０ｄに検出されるときにプッシュスイッチ１０５ａに検出され、図７及び図９に示すように、ディスク挿排部１００の幅方向の一端部１００ａを通過する８ｃｍディスク１１２、及び、ディスク挿排部１００の幅方向の中央部１００ｂを通過する８ｃｍディスク１１２が、プッシュスイッチ１１０ｄに検出されず、図１０に示すように、ディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１０５ａに検出されない位置に配置されている。
【０１３２】
また、レバー部材１０６とプッシュスイッチ１１０ａは、レバー部材１０６に設けたローラ部材１０６ａがディスクに接触することによって、通過するディスクを検出し、ディスク挿排部１００を通過する８ｃｍディスク１１２のうち図７に示すようにプッシュスイッチ１１０ｂによって検出されない８ｃｍディスク１１２を少なくとも検出する位置に配置される非検出ディスク厚み検出手段を構成している。レバー部材１０４の軸部１０４ａ、レバー部材１０６とプッシュスイッチ１１０ａ、レバー部材１０７とプッシュスイッチ１１０ｂ、及び、レバー部材１０９とプッシュスイッチ１１０ｄは、図６、図７、図８及び図１０に示すように、１２ｃｍディスク１１１、ディスク挿排部１００の幅方向の一端部１００ａを通過する８ｃｍディスク１１２、１２ｃｍアダプタ１１３、及び、ディスク挿排部１００の幅方向の他端部１００ｃを通過する８ｃｍディスク１１２が、ディスク挿排部１００に挿入されて、プッシュスイッチ１１０ａ及びプッシュスイッチ１１０ｂの少なくとも一方に検出されて、プッシュスイッチ１１０ａ及びプッシュスイッチ１１０ｂの双方に検出されなくなる以前に、プッシュスイッチ１１０ｄ及びプッシュスイッチ１０５ａの少なくとも一方に検出され、図９に示すように、ディスク挿排部１００の幅方向の中央部１００ｂを通過する８ｃｍディスク１１２が、ディスク挿排部１００に挿入されて、プッシュスイッチ１１０ａ及びプッシュスイッチ１１０ｂの少なくとも一方に検出されて、プッシュスイッチ１１０ａ及びプッシュスイッチ１１０ｂの双方に検出されなくなる以前に、プッシュスイッチ１１０ｄ及びプッシュスイッチ１０５ａの双方に検出されない位置に配置されている。
【０１３３】
また、厚み検出手段、即ち、レバー部材１０６とプッシュスイッチ１１０ａ、レバー部材１０７とプッシュスイッチ１１０ｂ、レバー部材１０８とプッシュスイッチ１１０ｃ、レバー部材１０９とプッシュスイッチ１１０ｄは、図６から図８までに示すように、プッシュスイッチ１０５ｂに検出されるときの１２ｃｍディスク１１１、８ｃｍディスク１１２、及び、１２ｃｍアダプタ１１３を、プッシュスイッチ１１０ａ、１１０ｂ、１１０ｃ、１１０ｄの何れかが検出する位置に配置されている。
【０１３４】
また、レバー部材１０６とプッシュスイッチ１１０ａは、ローラ部材１０３よりディスクの挿入方向上流側であり、ディスク挿排部１００に挿入された１２ｃｍディスク１１１（図６参照）、ディスク挿排部１００の幅方向の一端部１００ａを通過する８ｃｍディスク１１２（図７参照）、及び、ディスク挿排部１００の幅方向の中央部１００ｂを通過する８ｃｍディスク１１２（図９参照）がローラ部材１０３に接触する前に、１２ｃｍディスク１１１（図６参照）、ディスク挿排部１００の幅方向の一端部１００ａを通過する８ｃｍディスク１１２（図７参照）、及び、ディスク挿排部１００の幅方向の中央部１００ｂを通過する８ｃｍディスク１１２（図９参照）を検出する位置に配置されている。
【０１３５】
なお、１２ｃｍアダプタ１１３（図８参照）は、１２ｃｍディスク１１１（図６参照）と外径が略同一であるので、レバー部材１０６とプッシュスイッチ１１０ａは、図６に示すようにディスク挿排部１００に挿入された１２ｃｍディスク１１１がローラ部材１０３に接触する前に、１２ｃｍディスク１１１を検出する位置に配置されている場合、図８に示すようにディスク挿排部１００に挿入された１２ｃｍアダプタ１１３がローラ部材１０３に接触する前に、１２ｃｍアダプタ１１３を検出するようになっている。
【０１３６】
また、レバー部材１０７とプッシュスイッチ１１０ｂは、図１０に示すようにローラ部材１０３よりディスクの挿入方向上流側であり、ディスク挿排部１００に挿入され、ディスク挿排部１００の幅方向の他端部１００ｃを通過する８ｃｍディスク１１２がローラ部材１０３に接触する前に、８ｃｍディスク１１２を検出する位置に配置されている。
【０１３７】
また、図９、図１１及び図１３に示すように、レバー部材１０８とプッシュスイッチ１１０ｃは、ディスク挿排部１００の幅方向の中央部１００ｂを通過する８ｃｍディスク１１２、１２ｃｍディスク１１１、ディスク挿排部１００の幅方向の一端部１００ａを通過する８ｃｍディスク１１２がディスク挿排部１００から排出されるとき、ディスク挿排部１００の幅方向の中央部１００ｂを通過する８ｃｍディスク１１２、１２ｃｍディスク１１１、ディスク挿排部１００の幅方向の一端部１００ａを通過する８ｃｍディスク１１２を検出した後、ローラ部材１０３に接触中のディスク挿排部１００の幅方向の中央部１００ｂを通過する８ｃｍディスク１１２、１２ｃｍディスク１１１、ディスク挿排部１００の幅方向の一端部１００ａを通過する８ｃｍディスク１１２を検出しなくなる位置に配置されている。
【０１３８】
なお、１２ｃｍアダプタ１１３（図１２参照）は、１２ｃｍディスク１１１（図１１参照）と外径が略同一であるので、レバー部材１０８とプッシュスイッチ１１０ｃは、図１１に示すように１２ｃｍディスク１１１がディスク挿排部１００から排出されるとき、１２ｃｍディスク１１１を検出した後、ローラ部材１０３に接触中の１２ｃｍディスク１１１を検出しなくなる位置に配置されている場合、図１２に示すように１２ｃｍアダプタ１１３がディスク挿排部１００から排出されるとき、１２ｃｍアダプタ１１３を検出した後、ローラ部材１０３に接触中の１２ｃｍアダプタ１１３を検出しなくなるようになっている。
【０１３９】
また、図１０に示すようにレバー部材１０９とプッシュスイッチ１１０ｄは、ディスク挿排部１００の幅方向の他端部１００ｃを通過する８ｃｍディスク１１２がディスク挿排部１００から排出されるとき、８ｃｍディスク１１２を検出した後、ローラ部材１０３に接触中の８ｃｍディスク１１２を検出しなくなる位置に配置されている。
【０１４０】
また、図１１に示すようにレバー部材１０４の軸部１０４ａは、１２ｃｍディスク１１１がディスク挿排部１００から排出されるとき、プッシュスイッチ１０５ａが１２ｃｍディスク１１１を検出した後、ローラ部材１０３に接触中の１２ｃｍディスク１１１を検出しなくなる位置に配置されている。
【０１４１】
なお、ディスクガイド部材１０２と、ローラ部材１０３と、複数のレバー部材１０６、１０７、１０８及び１０９と、複数のプッシュスイッチ１１０ａ、１１０ｂ、１１０ｃ及び１１０ｄと、レバー部材１０４と、プッシュスイッチ１０５ａ及び１０５ｂと、図示していない制御装置とが、ディスク識別装置やディスク挿排装置を構成している。ここで、図示していない制御装置は、プッシュスイッチ１１０ａ、１１０ｂ、１１０ｃ及び１１０ｄや、プッシュスイッチ１０５ａ及び１０５ｂからの出力に基づいて、ディスク挿排部１００を通過するディスクの種類を識別する識別手段や、その識別手段の識別結果に基づいて、ローラ部材１０３によるディスクの挿排動作を制御する制御手段を構成している。
【０１４２】
ローラ部材１０３は、挿入中のディスクとの接触が外れる前に制御装置によるディスクの識別が終了する位置に配置されている。
【０１４３】
次に、本実施の形態に係るディスク装置の動作について説明する。
なお、以下においては、ディスク装置が、１２ｃｍディスク１１１と、中心部に８ｃｍディスク１１２を保持した１２ｃｍアダプタ１１３とをローディング完了の位置まで搬送し、１２ｃｍアダプタ１１３と、８ｃｍディスク１１２とを強制的に排出する場合の動作について説明する。
【０１４４】
（１）１２ｃｍディスク１１１に対する動作
まず、１２ｃｍディスク１１１に対するディスク装置の動作について説明する。なお、本実施の形態に係るディスク装置は、中心部に８ｃｍディスク１１２を保持した１２ｃｍアダプタ１１３を１２ｃｍディスク１１１と同様に取り扱うので、中心部に８ｃｍディスク１１２を保持した１２ｃｍアダプタ１１３に対するディスク装置の動作については、説明を省略する。
【０１４５】
１２ｃｍディスク１１１が利用者によってディスク装置のディスク挿排部１００の内部に挿入されると、上述したようにレバー部材１０６とプッシュスイッチ１１０ａは、ローラ部材１０３よりディスクの挿入方向上流側であり、ディスク挿排部１００に挿入された１２ｃｍディスク１１１がローラ部材１０３に接触する前に、１２ｃｍディスク１１１を検出する位置に配置されているので、図１６に示すようにプッシュスイッチ１１０ａの出力がＨｉになる。
【０１４６】
ディスク装置は、１２ｃｍディスク１１１が利用者によってディスク挿排部１００の内部に挿入されて、プッシュスイッチ１１０ａの出力がＨｉになると、動力源の動作を開始させて、ローラ部材１０３の回転を開始する。１２ｃｍディスク１１１が利用者によって更に挿入されると、１２ｃｍディスク１１１とローラ部材１０３が接触することによって、１２ｃｍディスク１１１のオートローディングが開始されて、１２ｃｍディスク１１１は図１１に示す位置まで搬送されるとともに、図１６に示すようにプッシュスイッチ１１０ｂ、１０５ｃの出力が順にＨｉになる。
【０１４７】
ここで、上述したように、プッシュスイッチ１１０ｂ及びプッシュスイッチ１１０ｃは、図１１及び図１２に示すように１２ｃｍディスク１１１、１２ｃｍアダプタ１１３が、ディスク挿排部１００に挿入されて、最初にプッシュスイッチ１１０ｃに検出されるときにプッシュスイッチ１１０ｂに検出され、図１３に示すようにディスク挿排部１００の幅方向の一端部１００ａを通過する８ｃｍディスク１１２が、ディスク挿排部１００に挿入されて、最初にプッシュスイッチ１１０ｃに検出されるときにプッシュスイッチ１１０ｂに検出されない位置に配置されている。
【０１４８】
したがって、図示していない制御装置は、プッシュスイッチ１１０ｃの出力がＨｉになった時にプッシュスイッチ１１０ｂの出力がＨｉであるので、１２ｃｍディスク１１１、ディスク挿排部１００の幅方向の中央部１００ｂを通過する８ｃｍディスク１１２、及び、１２ｃｍアダプタ１１３の何れかがディスク挿排部１００の内部に挿入されたと識別し、ローラ部材１０３に１２ｃｍディスク１１１のオートローディングを継続させる。
【０１４９】
１２ｃｍディスク１１１がローラ部材１０３によって更に挿入されると、図１６に示すように、プッシュスイッチ１０５ａ、プッシュスイッチ１１０ｄの出力は、１２ｃｍディスク１１１が図１４に示す位置まで搬送される間に、順にＨｉになる。
【０１５０】
ここで、上述したように、レバー部材１０４の軸部１０４ａ及びレバー部材１０９とプッシュスイッチ１１０ｄは、図１４及び図１５に示すように、１２ｃｍディスク１１１及び１２ｃｍアダプタ１１３が、ディスク挿排部１００に挿入されて、最初にプッシュスイッチ１１０ｄに検出されるときにプッシュスイッチ１０５ａに検出され、図７及び図９に示すように、ディスク挿排部１００の幅方向の一端部１００ａを通過する８ｃｍディスク１１２、及び、ディスク挿排部１００の幅方向の中央部１００ｂを通過する８ｃｍディスク１１２が、プッシュスイッチ１１０ｄに検出されず、図１０に示すように、ディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１０５ａに検出されない位置に配置されている。
【０１５１】
したがって、図示していない制御装置は、プッシュスイッチ１１０ｄの出力がＨｉになった時にプッシュスイッチ１０５ａの出力がＨｉであるので、１２ｃｍディスク１１１か、１２ｃｍアダプタ１１３の何れかがディスク挿排部１００の内部に挿入されたと識別し、ローラ部材１０３に１２ｃｍディスク１１１のオートローディングを継続させる。
【０１５２】
また、上述したように、レバー部材１０９とプッシュスイッチ１１０ｄ及びレバー部材１０８とプッシュスイッチ１１０ｃは、図１４及び図１５に示すように、１２ｃｍディスク１１１及び１２ｃｍアダプタ１１３が、ディスク挿排部１００に挿入されて、最初にプッシュスイッチ１１０ｄに検出されるときにプッシュスイッチ１１０ｃに検出され、図７及び図９に示すように、ディスク挿排部１００の幅方向の一端部１００ａを通過する８ｃｍディスク１１２、及び、ディスク挿排部１００の幅方向の中央部１００ｂを通過する８ｃｍディスク１１２が、プッシュスイッチ１１０ｄに検出されず、図１０に示すようにディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１１０ｃに検出されない位置に配置されている。
【０１５３】
したがって、図示していない制御装置は、プッシュスイッチ１１０ｄの出力がＨｉになった時にプッシュスイッチ１１０ｃの出力がＨｉであるということから、ディスク挿排部１００の幅方向の他端部１００ｃを通過する８ｃｍディスク１１２以外のディスクがディスク挿排部１００の内部に挿入されたということを判断することもできる。
【０１５４】
１２ｃｍディスク１１１がローラ部材１０３によって更に挿入されると、図１６に示すように、プッシュスイッチ１０５ｂの出力は、１２ｃｍディスク１１１が図４に示す位置まで搬送される間にＨｉになる。
【０１５５】
ここで、上述したように、レバー部材１０７とプッシュスイッチ１１０ｂは、図７に示すようにディスク挿排部１００の幅方向の一端部１００ａを通過する８ｃｍディスク１１２がプッシュスイッチ１０５ｂに検出されるときに、８ｃｍディスク１１２を検出せず、図８に示すように１２ｃｍアダプタ１１３がプッシュスイッチ１０５ｂに検出されるときに、１２ｃｍアダプタ１１３を検出しない位置に配置されている。
【０１５６】
したがって、図示していない制御装置は、プッシュスイッチ１０５ｂの出力がＨｉになった時にプッシュスイッチ１１０ｂの出力がＨｉであるので、１２ｃｍディスク１１１がディスク挿排部１００の内部に挿入されたと識別し、ローラ部材１０３に１２ｃｍディスク１１１のオートローディングを継続させて１２ｃｍディスク１１１をローディング完了の位置まで搬送する。
【０１５７】
なお、１２ｃｍディスク１１１のローディング完了の検出は、図示していない検出手段によって行う。
また、ディスク装置は、１２ｃｍディスク１１１を内部から排出する場合、１２ｃｍディスク１１１がローラ部材１０３に接触する前に、図示していない検出手段によって、１２ｃｍディスク１１１がディスク収納部（図示していない）、又は、ディスク記録再生部（図示していない）から排出されたことを検出する。
【０１５８】
ディスク装置は、１２ｃｍディスク１１１がディスク収納部（図示していない）、又は、ディスク記録再生部（図示していない）から排出されたことを検出すると、動力源の動作を開始することによってローラ部材１０３の回転を開始する。１２ｃｍディスク１１１が図示していない機構によって更に排出されると、１２ｃｍディスク１１１とローラ部材１０３とが接触することによって、１２ｃｍディスク１１１のオートイジェクトが開始されて、１２ｃｍディスク１１１は図１１に示す位置まで搬送される。
【０１５９】
１２ｃｍディスク１１１が図１１に示す位置まで搬送されると、上述したようにレバー部材１０８とプッシュスイッチ１１０ｃは、１２ｃｍディスク１１１がディスク挿排部１００から排出されるとき、１２ｃｍディスク１１１を検出した後、ローラ部材１０３に接触中の１２ｃｍディスク１１１を検出しなくなる位置に配置されているので、プッシュスイッチ１１０ｃの出力はＬｏになる。
【０１６０】
したがって、図示していない制御装置は、プッシュスイッチ１１０ｃの出力がＬｏになったことを受けて、動力源の動作を停止し、１２ｃｍディスク１１１のオートイジェクトを完了する。
図１１に示すように、１２ｃｍディスク１１１は、プッシュスイッチ１１０ｃの出力がＬｏになったとき、ローラ部材１０３との接触が外れていないので、ディスク装置から落下することが防止されるとともに、利用者の操作によって再度オートローディングを開始することも可能である。
【０１６１】
（２）ディスク挿排部１００の幅方向の一端部１００ａを通過する８ｃｍディスク１１２に対する動作
次に、ディスク挿排部１００の幅方向の一端部１００ａを通過する８ｃｍディスク１１２に対するディスク記録再生装置の動作について説明する。
【０１６２】
８ｃｍディスク１１２が利用者によってディスク装置のディスク挿排部１００の幅方向の一端部１００ａからディスク挿排部１００の内部に挿入されると、上述したようにレバー部材１０６とプッシュスイッチ１１０ａは、ローラ部材１０３よりディスクの挿入方向上流側であり、ディスク挿排部１００に挿入され、ディスク挿排部１００の幅方向の一端部１００ａを通過する８ｃｍディスク１１２がローラ部材１０３に接触する前に、８ｃｍディスク１１２を検出する位置に配置されているので、図１７に示すようにプッシュスイッチ１１０ａの出力がＨｉになる。
【０１６３】
ディスク装置は、８ｃｍディスク１１２が利用者によってディスク挿排部１００の幅方向の一端部１００ａからディスク挿排部１００の内部に挿入されて、プッシュスイッチ１１０ａの出力がＨｉになると、動力源の動作を開始させて、ローラ部材１０３の回転を開始する。
８ｃｍディスク１１２が利用者によって更に挿入されると、８ｃｍディスク１１２とローラ部材１０３とが接触することによって、８ｃｍディスク１１２のオートローディングが開始されて、８ｃｍディスク１１２は図１３に示す位置まで搬送されるとともに、図１７に示すようにプッシュスイッチ１０５ａ、プッシュスイッチ１１０ｃの出力が順にＨｉになる。
【０１６４】
ここで、上述したように、レバー部材１０７とプッシュスイッチ１１０ｂ及びレバー部材１０８とプッシュスイッチ１１０ｃは、図１１から図１２までに示すように１２ｃｍディスク１１１、１２ｃｍアダプタ１１３が、ディスク挿排部１００に挿入されて、最初にプッシュスイッチ１１０ｃに検出されるときにプッシュスイッチ１１０ｂに検出され、図１３に示すようにディスク挿排部１００の幅方向の一端部１００ａを通過する８ｃｍディスク１１２が、ディスク挿排部１００に挿入されて、最初にプッシュスイッチ１１０ｃに検出されるときにプッシュスイッチ１１０ｂに検出されない位置に配置されている。
【０１６５】
したがって、図示していない制御装置は、プッシュスイッチ１１０ｃの出力がＨｉになった時にプッシュスイッチ１１０ｂの出力がＬｏであるので、ディスク挿排部１００の幅方向の一端部１００ａを通過する８ｃｍディスク１１２がディスク挿排部１００の内部に挿入されたと識別し、ローラ部材１０３に８ｃｍディスク１１２のオートローディングを停止させるとともに駆動源の回転方向を逆転することで８ｃｍディスク１１２のオートイジェクトを開始させる。
【０１６６】
８ｃｍディスク１１２のオートイジェクトが開始されて、８ｃｍディスク１１２が搬送されると、上述したようにレバー部材１０８とプッシュスイッチ１１０ｃは、ディスク挿排部１００の幅方向の一端部１００ａを通過する８ｃｍディスク１１２がディスク挿排部１００から排出されるとき、８ｃｍディスク１１２を検出した後、ローラ部材１０３に接触中の８ｃｍディスク１１２を検出しなくなる位置に配置されているので、プッシュスイッチ１１０ｃの出力がＬｏになる。
【０１６７】
したがって、図示していない制御装置は、プッシュスイッチ１１０ｃの出力がＬｏになったことを受けて、動力源の動作を停止し、８ｃｍディスク１１２のオートイジェクトを完了する。
図１３に示すように、８ｃｍディスク１１２は、プッシュスイッチ１１０ｃの出力がＬｏになったとき、ローラ部材１０３との接触が外れていないので、ディスク装置から落下することが防止される。
【０１６８】
（３）ディスク挿排部１００の幅方向の中央部１００ｂを通過する８ｃｍディスク１１２に対する動作
次に、ディスク挿排部１００の幅方向の中央部１００ｂを通過する８ｃｍディスク１１２に対するディスク装置の動作について説明する。
【０１６９】
８ｃｍディスク１１２が利用者によってディスク装置のディスク挿排部１００の幅方向の中央部１００ｂからディスク挿排部１００の内部に挿入されると、上述したようにレバー部材１０６とプッシュスイッチ１１０ａは、ローラ部材１０３よりディスクの挿入方向上流側であり、ディスク挿排部１００に挿入され、ディスク挿排部１００の幅方向の中央部１００ｂを通過する８ｃｍディスク１１２がローラ部材１０３に接触する前に、８ｃｍディスク１１２を検出する位置に配置されているので、図１８に示すようにプッシュスイッチ１１０ａの出力がＨｉになる。
【０１７０】
ディスク装置は、８ｃｍディスク１１２が利用者によってディスク挿排部１００の幅方向の中央部１００ｂからディスク挿排部１００の内部に挿入されて、プッシュスイッチ１１０ａの出力がＨｉになると、動力源の動作を開始させて、ローラ部材１０３の回転を開始する。８ｃｍディスク１１２が利用者によって更に挿入されると、８ｃｍディスク１１２とローラ部材１０３とが接触することによって、８ｃｍディスク１１２のオートローディングが開始されて、８ｃｍディスク１１２は図９に示す位置まで搬送されるとともに、図１８に示すようにプッシュスイッチ１１０ｂ、１１０ｃの出力が順にＨｉになる。
【０１７１】
ここで、上述したように、レバー部材１０７とプッシュスイッチ１１０ｂ及びレバー部材１０８とプッシュスイッチ１１０ｃは、図１１から図１２までに示すように１２ｃｍディスク１１１、１２ｃｍアダプタ１１３が、ディスク挿排部１００に挿入されて、最初にプッシュスイッチ１１０ｃに検出されるときにプッシュスイッチ１１０ｂに検出され、図１３に示すようにディスク挿排部１００の幅方向の一端部１００ａを通過する８ｃｍディスク１１２が、ディスク挿排部１００に挿入されて、最初にプッシュスイッチ１１０ｃに検出されるときにプッシュスイッチ１１０ｂに検出されない位置に配置されている。
【０１７２】
したがって、制御装置は、プッシュスイッチ１１０ｃの出力がＨｉになった時にプッシュスイッチ１１０ｂの出力がＨｉであるので、ディスク挿排部１００の幅方向の一端部１００ａを通過する８ｃｍディスク１１２以外のディスクがディスク挿排部１００の内部に挿入されたと識別し、ローラ部材１０３に８ｃｍディスク１１２のオートローディングを継続させる。
【０１７３】
８ｃｍディスク１１２がローラ部材１０３によって更に挿入されると、８ｃｍディスク１１２の中心穴がレバー部材１０６のローラ部材１０６ａの位置を通過し、レバー部材１０６はディスク装置内にディスクが挿入されていない状態と同一になるため、図１８に示すように、プッシュスイッチ１１０ａの出力がＨｉからＬｏとなり、Ｌｏから再びＨｉとなった後、プッシュスイッチ１１０ｂ、１１０ａの出力が順にＬｏになる。
【０１７４】
ここで、レバー部材１０４の軸部１０４ａ、レバー部材１０６とプッシュスイッチ１１０ａ、レバー部材１０７とプッシュスイッチ１１０ｂ、及び、レバー部材１０９とプッシュスイッチ１１０ｄは、図６、図７、図８及び図１０に示すように、１２ｃｍディスク１１１、ディスク挿排部１００の幅方向の一端部１００ａを通過する８ｃｍディスク１１２、１２ｃｍアダプタ１１３、及び、ディスク挿排部１００の幅方向の他端部１００ｃを通過する８ｃｍディスク１１２が、ディスク挿排部１００に挿入されて、プッシュスイッチ１１０ａ及びプッシュスイッチ１１０ｂの少なくとも一方に検出されて、プッシュスイッチ１１０ａ及びプッシュスイッチ１１０ｂの双方に検出されなくなる以前に、プッシュスイッチ１１０ｄ及びプッシュスイッチ１０５ａの少なくとも一方に検出され、図９に示すように、ディスク挿排部１００の幅方向の中央部１００ｂを通過する８ｃｍディスク１１２が、ディスク挿排部１００に挿入されて、プッシュスイッチ１１０ａ及びプッシュスイッチ１１０ｂの少なくとも一方に検出されて、プッシュスイッチ１１０ａ及びプッシュスイッチ１１０ｂの双方に検出されなくなる以前に、プッシュスイッチ１１０ｄ及びプッシュスイッチ１０５ａの双方に検出されない位置に配置されている。
【０１７５】
したがって、制御装置は、図１８に示すようにディスク挿排部１００に挿入されて、プッシュスイッチ１１０ａ及びプッシュスイッチ１１０ｂの少なくとも一方に検出されて、プッシュスイッチ１１０ａ及びプッシュスイッチ１１０ｂの双方に検出されなくなる以前に、プッシュスイッチ１１０ｄ及びプッシュスイッチ１０５ａの双方に検出されないので、ディスク挿排部１００の幅方向の中央部１００ｂを通過する８ｃｍディスク１１２がディスク挿排部１００の内部に挿入されたと識別し、ローラ部材１０３に８ｃｍディスク１１２のオートローディングを停止させるとともに駆動源の回転方向を逆転することで８ｃｍディスク１１２のオートイジェクトを開始させる。
【０１７６】
８ｃｍディスク１１２のオートイジェクトが開始されて、８ｃｍディスク１１２が図９に示す位置まで搬送されると、上述したようにレバー部材１０８とプッシュスイッチ１１０ｃは、ディスク挿排部１００の幅方向の中央部１００ｂを通過する８ｃｍディスク１１２がディスク挿排部１００から排出されるとき、８ｃｍディスク１１２を検出した後、ローラ部材１０３に接触中の８ｃｍディスク１１２を検出しなくなる位置に配置されているので、プッシュスイッチ１１０ｃの出力がＬｏになる。
【０１７７】
したがって、制御装置は、プッシュスイッチ１１０ｃの出力がＬｏになったことを受けて、動力源の動作を停止し、８ｃｍディスク１１２のオートイジェクトを完了する。
図９に示すように８ｃｍディスク１１２は、プッシュスイッチ１１０ｃの出力がＬｏになったとき、ローラ部材１０３との接触が外れていないので、ディスク装置から落下することが防止される。
【０１７８】
（４）ディスク挿排部１００の幅方向の他端部１００ｃを通過する８ｃｍディスク１１２に対する動作
次に、ディスク挿排部１００の幅方向の他端部１００ｃを通過する８ｃｍディスク１１２に対するディスク記録再生装置の動作について説明する。
【０１７９】
８ｃｍディスク１１２が利用者によってディスク装置のディスク挿排部１００の幅方向の他端部１００ｃからディスク挿排部１００の内部に挿入されると、上述したようにレバー部材１０７とプッシュスイッチ１１０ｂは、ローラ部材１０３よりディスクの挿入方向上流側であり、ディスク挿排部１００に挿入され、ディスク挿排部１００の幅方向の他端部１００ｃを通過する８ｃｍディスク１１２がローラ部材１０３に接触する前に、８ｃｍディスク１１２を検出する位置に配置されているので、図１９に示すようにプッシュスイッチ１１０ｂの出力がＨｉになる。
【０１８０】
ディスク装置は、８ｃｍディスク１１２が利用者によってディスク挿排部１００の幅方向の他端部１００ｃからディスク挿排部１００の内部に挿入されて、プッシュスイッチ１１０ｂの出力がＨｉになると、動力源の動作を開始させて、ローラ部材１０３の回転を開始する。８ｃｍディスク１１２が利用者によって更に挿入されると、８ｃｍディスク１１２とローラ部材１０３とが接触することによって、８ｃｍディスク１１２のオートローディングが開始されて、８ｃｍディスク１１２は図８に示す位置まで搬送されるとともに、図１９に示すようにプッシュスイッチ１１０ａ、１１０ｄの出力が順にＨｉになる。
【０１８１】
ここで、上述したように、レバー部材１０９とプッシュスイッチ１１０ｄ及びレバー部材１０８とプッシュスイッチ１１０ｃは、図１４及び図１５に示すように、１２ｃｍディスク１１１及び１２ｃｍアダプタ１１３が、ディスク挿排部１００に挿入されて、最初にプッシュスイッチ１１０ｄに検出されるときにプッシュスイッチ１１０ｃに検出され、図７及び図９に示すように、ディスク挿排部１００の幅方向の一端部１００ａを通過する８ｃｍディスク１１２、及び、ディスク挿排部１００の幅方向の中央部１００ｂを通過する８ｃｍディスク１１２が、プッシュスイッチ１１０ｄに検出されず、図１０に示すようにディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１１０ｃに検出されない位置に配置されている。
【０１８２】
また、上述したように、レバー部材１０４の軸部１０４ａ及びレバー部材１０９とプッシュスイッチ１１０ｄは、図１４及び図１５に示すように、１２ｃｍディスク１１１及び１２ｃｍアダプタ１１３が、ディスク挿排部１００に挿入されて、最初にプッシュスイッチ１１０ｄに検出されるときにプッシュスイッチ１０５ａに検出され、図７及び図９に示すように、ディスク挿排部１００の幅方向の一端部１００ａを通過する８ｃｍディスク１１２、及び、ディスク挿排部１００の幅方向の中央部１００ｂを通過する８ｃｍディスク１１２が、プッシュスイッチ１１０ｄに検出されず、図１０に示すように、ディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１０５ａに検出されない位置に配置されている。
【０１８３】
したがって、図示していない制御装置は、プッシュスイッチ１１０ｄの出力がＨｉになった時にプッシュスイッチ１１０ｃ及びプッシュスイッチ１０５ａの出力がＬｏであるので、ディスク挿排部１００の幅方向の他端部１００ｃを通過する８ｃｍディスク１１２がディスク挿排部１００の内部に挿入されたと識別し、ローラ部材１０３に８ｃｍディスク１１２のオートローディングを停止させるとともに駆動源の回転方向を逆転することで８ｃｍディスク１１２のオートイジェクトを開始させる。
【０１８４】
８ｃｍディスク１１２のオートイジェクトが開始されて、８ｃｍディスク１１２が搬送されると、上述したようにレバー部材１０９とプッシュスイッチ１１０ｄは、ディスク挿排部１００の幅方向の他端部１００ｃを通過する８ｃｍディスク１１２がディスク挿排部１００から排出されるとき、８ｃｍディスク１１２を検出した後、ローラ部材１０３に接触中の８ｃｍディスク１１２を検出しなくなる位置に配置されているので、プッシュスイッチ１１０ｄの出力がＬｏになる。
【０１８５】
したがって、図示していない制御装置は、プッシュスイッチ１１０ｄの出力がＬｏになったことを受けて、動力源の動作を停止し、８ｃｍディスク１１２のオートイジェクトを完了する。
図１０に示すように、８ｃｍディスク１１２は、プッシュスイッチ１１０ｄの出力がＬｏになったとき、ローラ部材１０３との接触が外れていないので、ディスク装置から落下することが防止される。
【０１８６】
（５）１２ｃｍアダプタ１１３に対する動作
次に、１２ｃｍアダプタ１１３に対するディスク装置の動作について説明する。
１２ｃｍアダプタ１１３が利用者によってディスク装置のディスク挿排部１００の内部に挿入されると、上述したようにレバー部材１０６とプッシュスイッチ１１０ａは、ローラ部材１０３よりディスクの挿入方向上流側であり、ディスク挿排部１００に挿入された１２ｃｍアダプタ１１３がローラ部材１０３に接触する前に、１２ｃｍアダプタ１１３を検出する位置に配置されているので、図２０に示すようにプッシュスイッチ１１０ａの出力がＨｉになる。
【０１８７】
ディスク装置は、１２ｃｍアダプタ１１３が利用者によってディスク挿排部１００の内部に挿入されて、プッシュスイッチ１１０ａの出力がＨｉになると、動力源の動作を開始させて、ローラ部材１０３の回転を開始する。１２ｃｍアダプタ１１３が利用者によって更に挿入されると、１２ｃｍアダプタ１１３とローラ部材１０３が接触することによって、１２ｃｍアダプタ１１３のオートローディングが開始されて、１２ｃｍアダプタ１１３は図１２に示す位置まで搬送されるとともに、図２０に示すようにプッシュスイッチ１１０ｂ、１０５ｃの出力が順にＨｉになる。
【０１８８】
ここで、上述したように、レバー部材１０７とプッシュスイッチ１１０ｂ及びレバー部材１０８とプッシュスイッチ１１０ｃは、図１１及び図１２に示すように１２ｃｍディスク１１１、１２ｃｍアダプタ１１３が、ディスク挿排部１００に挿入されて、最初にプッシュスイッチ１１０ｃに検出されるときにプッシュスイッチ１１０ｂに検出され、図１３に示すようにディスク挿排部１００の幅方向の一端部１００ａを通過する８ｃｍディスク１１２が、ディスク挿排部１００に挿入されて、最初にプッシュスイッチ１１０ｃに検出されるときにプッシュスイッチ１１０ｂに検出されない位置に配置されている。
【０１８９】
したがって、図示していない制御装置は、プッシュスイッチ１１０ｃの出力がＨｉになった時にプッシュスイッチ１１０ｂの出力がＨｉであるので、１２ｃｍディスク１１１、ディスク挿排部１００の幅方向の中央部１００ｂを通過する８ｃｍディスク１１２、及び、１２ｃｍアダプタ１１３の何れかがディスク挿排部１００の内部に挿入されたと識別し、ローラ部材１０３に１２ｃｍアダプタ１１３のオートローディングを継続させる。
【０１９０】
１２ｃｍアダプタ１１３がローラ部材１０３によって更に挿入されると、図２０に示すように、プッシュスイッチ１０５ａ、プッシュスイッチ１１０ｄの出力は、１２ｃｍアダプタ１１３が図１５に示す位置まで搬送される間に、順にＨｉになる。
【０１９１】
ここで、上述したように、レバー部材１０４の軸部１０４ａ及びレバー部材１０９とプッシュスイッチ１１０ｄは、図１４及び図１５に示すように、１２ｃｍディスク１１１及び１２ｃｍアダプタ１１３が、ディスク挿排部１００に挿入されて、最初にプッシュスイッチ１１０ｄに検出されるときにプッシュスイッチ１０５ａに検出され、図７及び図９に示すように、ディスク挿排部１００の幅方向の一端部１００ａを通過する８ｃｍディスク１１２、及び、ディスク挿排部１００の幅方向の中央部１００ｂを通過する８ｃｍディスク１１２が、プッシュスイッチ１１０ｄに検出されず、図１０に示すように、ディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１０５ａに検出されない位置に配置されている。
【０１９２】
したがって、図示していない制御装置は、プッシュスイッチ１１０ｄの出力がＨｉになった時にプッシュスイッチ１０５ａの出力がＨｉであるので、１２ｃｍディスク１１１か、１２ｃｍアダプタ１１３の何れかがディスク挿排部１００の内部に挿入されたと識別し、ローラ部材１０３に１２ｃｍアダプタ１１３のオートローディングを継続させる。
【０１９３】
また、上述したように、レバー部材１０９とプッシュスイッチ１１０ｄ及びレバー部材１０８とプッシュスイッチ１１０ｃは、図１４及び図１５に示すように、１２ｃｍディスク１１１及び１２ｃｍアダプタ１１３が、ディスク挿排部１００に挿入されて、最初にプッシュスイッチ１１０ｄに検出されるときにプッシュスイッチ１１０ｃに検出され、図７及び図９に示すように、ディスク挿排部１００の幅方向の一端部１００ａを通過する８ｃｍディスク１１２、及び、ディスク挿排部１００の幅方向の中央部１００ｂを通過する８ｃｍディスク１１２が、プッシュスイッチ１１０ｄに検出されず、図１０に示すようにディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１１０ｃに検出されない位置に配置されている。
【０１９４】
したがって、図示していない制御装置は、プッシュスイッチ１１０ｄの出力がＨｉになった時にプッシュスイッチ１１０ｃの出力がＨｉであるということから、ディスク挿排部１００の幅方向の他端部１００ｃを通過する８ｃｍディスク１１２以外のディスクがディスク挿排部１００の内部に挿入されたということを判断することもできる。
【０１９５】
１２ｃｍアダプタ１１３がローラ部材１０３によって更に挿入されると、図２０に示すようにプッシュスイッチ１０５ｂの出力は、１２ｃｍアダプタ１１３が図８に示す位置まで搬送される間にＨｉになる。そして、プッシュスイッチ１０５ｂの出力がＨｉになった時には１２ｃｍアダプタ１１３の中心部に形成された中空穴１１３ａがレバー部材１０７のローラ部材１０７ａの位置を通過し、レバー部材１０７はディスク装置内にディスクが挿入されていない状態と同一になるため、プッシュスイッチ１１０ｂの出力はＬｏとなる。
【０１９６】
ここで、上述したように、レバー部材１０７とプッシュスイッチ１１０ｂは、図７に示すようにディスク挿排部１００の幅方向の一端部１００ａを通過する８ｃｍディスク１１２がプッシュスイッチ１０５ｂに検出されるときに、８ｃｍディスク１１２を検出せず、図８に示すように１２ｃｍアダプタ１１３がプッシュスイッチ１０５ｂに検出されるときに、１２ｃｍアダプタ１１３を検出しない位置に配置されている。
【０１９７】
したがって、図示していない制御装置は、プッシュスイッチ１１０ｄの出力がＨｉになった時にプッシュスイッチ１０５ａの出力がＨｉであって、プッシュスイッチ１０５ｂの出力がＨｉになった時にプッシュスイッチ１１０ｂの出力がＬｏであるので、１２ｃｍアダプタ１１３がディスク挿排部１００の内部に挿入されたと識別し、ローラ部材１０３に１２ｃｍアダプタ１１３のオートローディングを停止させるとともに駆動源の回転方向を逆転することで１２ｃｍアダプタ１１３のオートイジェクトを開始させる。
【０１９８】
１２ｃｍアダプタ１１３のオートイジェクトが開始されて、１２ｃｍアダプタ１１３が図１２に示す位置まで搬送されると、上述したようにレバー部材１０８とプッシュスイッチ１１０ｃは、１２ｃｍアダプタ１１３がディスク挿排部１００から排出されるとき、１２ｃｍアダプタ１１３を検出した後、ローラ部材１０３に接触中の１２ｃｍアダプタ１１３を検出しなくなる位置に配置されているので、プッシュスイッチ１１０ｃの出力がＬｏになる。
【０１９９】
したがって、図示していない制御装置は、プッシュスイッチ１１０ｃの出力がＬｏになったことを受けて、動力源の動作を停止し、１２ｃｍアダプタ１１３のオートイジェクトを完了する。
図１２に示すように、１２ｃｍアダプタ１１３は、プッシュスイッチ１１０ｃの出力がＬｏになったとき、ローラ部材１０３との接触が外れていないので、ディスク装置から落下することが防止される。
【０２００】
なお、図１、図２及び図３を使用して上述したように、ディスク装置は、ディスク挿排部１００の内部に突起１０２ａ、１０２ｂが設けられており、基台１０１に突起１０１ａが設けられているので、一回の挿入動作で内部に複数枚のディスクが挿入されることを防止することができ、故障することを防止することができる。
【０２０１】
ここで、ディスク装置は、図示していない制御装置が、ローラ部材１０３によるディスクの挿入開始から一定時間が経過した後、ローラ部材１０３にディスクを排出させる構成であれば、一回の挿入動作で内部に複数枚のディスクが挿入された場合、ディスクを外部に排出することもできる。
【０２０２】
また、図示していない制御装置は、ローラ部材１０３にディスクを挿入させているとき、プッシュスイッチ１０５ｂがディスクを複数回検出する場合、ローラ部材１０３によるディスクの挿入動作を停止させる。
より詳細に説明すると、ディスク装置が、図２１に示すように、１２ｃｍディスク１１１や、中心部に８ｃｍディスク１１２を保持した１２ｃｍアダプタ１１３や、１２ｃｍアダプタ１１３などの外径が１２ｃｍのディスク１１４、１１５をローラ部材１０３によって内部に挿入すると、プッシュスイッチ１０５ｂの出力は、図２２に示すように、プッシュスイッチ１０５ａの出力がＨｉである間に、ディスク１１４によってＬｏからＨｉに変化し、ＨｉからＬｏに変化した後、再び、ディスク１１５によってＬｏからＨｉに変化し、ＨｉからＬｏに変化する。
【０２０３】
一方、ディスク装置が、外径が１２ｃｍのディスクを１枚だけローラ部材１０３によって内部に挿入する場合、図２１に示すような状態になることがないので、プッシュスイッチ１０５ｂの出力は、図２３に示すように、プッシュスイッチ１０５ａの出力がＨｉである間に、一度だけＬｏからＨｉに変化し、ＨｉからＬｏに変化する。
したがって、ディスク装置は、プッシュスイッチ１０５ｂの出力が、図２２に示すように、プッシュスイッチ１０５ａの出力がＨｉである間に、ＬｏからＨｉに変化し、ＨｉからＬｏに変化することを繰り返す場合、内部に複数のディスクが挿入されたと判断することができる。
【０２０４】
そして、ディスク装置は、一回の挿入動作で内部に複数のディスクが挿入された場合、ディスクの搬送を停止することによって、一回の挿入動作で内部に複数枚のディスクが挿入されることを防止することができ、故障することを防止することができる。
【０２０５】
なお、本発明によれば、ディスク装置は、図示していない制御装置が、ローラ部材１０３にディスクを挿入させているとき、プッシュスイッチ１０５ｂがディスクを複数回検出する場合、ローラ部材１０３にディスクを排出させる構成であっても良く、一回の挿入動作で内部に複数枚のディスクが挿入された場合、ディスクを外部に排出するので、一回の挿入動作で内部に複数枚のディスクが挿入されることを防止することができ、故障することを防止することができる。
【０２０６】
以上説明したように、本実施の形態に係るディスク装置は、ディスクの光透過率の大小にかかわらず、安定してディスクの種類を識別し、挿入し、記録再生することができる。
なお、以上の説明において、ディスク装置は、１２ｃｍディスク１１１と、中心部に８ｃｍディスク１１２を保持した１２ｃｍアダプタ１１３とをローディング完了の位置まで搬送し、１２ｃｍアダプタ１１３と、８ｃｍディスク１１２を強制的に排出する構成であったが、本発明によれば、１２ｃｍディスク１１１と、中心部に８ｃｍディスク１１２を保持した１２ｃｍアダプタ１１３と、８ｃｍディスク１１２とをローディング完了の位置まで搬送し、１２ｃｍアダプタ１１３を強制的に排出する構成についても同様に実施可能である。
【０２０７】
また、１２ｃｍディスク１１１と、中心部に８ｃｍディスク１１２を保持した１２ｃｍアダプタ１１３と、ディスク挿排部１００の幅方向の一端部１００ａ、中央部１００ｂ及び他端部１００ｃを通過する８ｃｍディスク１１２のうち少なくとも１つとをローディング完了の位置まで搬送し、ディスク挿排部１００の幅方向の一端部１００ａ、中央部１００ｂ及び他端部１００ｃを通過する８ｃｍディスク１１２のうち残りと、１２ｃｍアダプタ１１３を強制的に排出する構成であっても良い。
【０２０８】
また、本実施の形態に係るディスク装置においては、プッシュスイッチ１０５ｂがディスクを検出するときにレバー部材１０７とプッシュスイッチ１１０ｂがディスクを検出する場合、ディスク挿排部１００の内部に挿入されたディスクが、１２ｃｍディスク１１１、中心部に８ｃｍディスク１１２を保持した１２ｃｍアダプタ１１３の何れかであるので、ディスクをローディング完了の位置まで搬送しており、本発明によれば、レバー部材１０４及びプッシュスイッチ１０５ｂがディスクを検出するときにレバー部材１０７とプッシュスイッチ１１０ｂがディスクを検出しない場合、ディスクをオートイジェクトする構成であっても良い。
【０２０９】
なお、ディスク装置は、レバー部材１０４の軸部１０４ａ及びレバー部材１０７とプッシュスイッチ１１０ｂが、ローラ部材１０３よりディスクの挿入方向上流側に配置されていたので、ディスクがローラ部材１０３より挿入方向下流側に半分以上挿入される前に、ディスクを内部に挿入するか、或いは、外部に排出するかを判断して、ローラ部材１０３によって挿入或いは排出し始めることができ、操作フィーリングを向上することができる。
【０２１０】
また、本実施の形態において、レバー部材１０７とプッシュスイッチ１１０ｂは、図７に示すようにディスク挿排部１００の幅方向の一端部１００ａを通過する８ｃｍディスク１１２がプッシュスイッチ１０５ｂに検出されるときに、８ｃｍディスク１１２を検出しない位置に配置されていたが、本発明によれば、例えばディスク装置がディスク挿排部１００の幅方向の一端部１００ａを通過する８ｃｍディスク１１２をローディング完了の位置まで搬送する場合、ディスク挿排部１００の幅方向の一端部１００ａを通過する８ｃｍディスク１１２がプッシュスイッチ１０５ｂに検出されるときに、８ｃｍディスク１１２を検出する位置に配置されていても良い。
【０２１１】
レバー部材１０７とプッシュスイッチ１１０ｂが、ディスク挿排部１００の幅方向の一端部１００ａを通過する８ｃｍディスク１１２がプッシュスイッチ１０５ｂに検出されるときに、８ｃｍディスク１１２を検出する位置に配置されている場合、ディスク装置は、プッシュスイッチ１０５ｂがディスクを検出するときにレバー部材１０７とプッシュスイッチ１１０ｂがディスクを検出するということによって、１２ｃｍディスク１１１、ディスク挿排部１００の幅方向の一端部１００ａを通過する８ｃｍディスク１１２、及び、中心部に８ｃｍディスク１１２を保持した１２ｃｍアダプタ１１３を識別し、ローディング完了の位置まで挿入することができる。
【０２１２】
また、本実施の形態において、レバー部材１０７とプッシュスイッチ１１０ｂ及びレバー部材１０８とプッシュスイッチ１１０ｃは、図１１及び図１２に示すように１２ｃｍディスク１１１、１２ｃｍアダプタ１１３が、ディスク挿排部１００に挿入されて、最初にプッシュスイッチ１１０ｃに検出されるときにプッシュスイッチ１１０ｂに検出され、図１３に示すようにディスク挿排部１００の幅方向の一端部１００ａを通過する８ｃｍディスク１１２が、ディスク挿排部１００に挿入されて、最初にプッシュスイッチ１１０ｃに検出されるときにプッシュスイッチ１１０ｂに検出されない位置に配置されていたので、制御装置はディスク挿排部１００の幅方向の一端部１００ａを通過する８ｃｍディスク１１２を識別することができた。
【０２１３】
しかしながら、本発明によれば、図示を省略するが、レバー部材１０７とプッシュスイッチ１１０ｂ及びレバー部材１０８とプッシュスイッチ１１０ｃは、１２ｃｍディスク１１１、及び、１２ｃｍアダプタ１１３が、ディスク挿排部１００に挿入されて、最初にプッシュスイッチ１１０ｃに検出されるときにプッシュスイッチ１１０ｂに検出され、ディスク挿排部１００の幅方向の一端部１００ａを通過する８ｃｍディスク１１２が、ディスク挿排部１００に挿入されて、最初にプッシュスイッチ１１０ｃに検出されるときにプッシュスイッチ１１０ｂに検出されない位置に配置されていても、図示していない制御装置はディスク挿排部１００の幅方向の一端部１００ａを通過する８ｃｍディスク１１２を識別することができる。
【０２１４】
また、本実施の形態において、レバー部材１０９とプッシュスイッチ１１０ｄ及びレバー部材１０８とプッシュスイッチ１１０ｃは、図１４及び図１５に示すように、１２ｃｍディスク１１１及び１２ｃｍアダプタ１１３が、ディスク挿排部１００に挿入されて、最初にプッシュスイッチ１１０ｄに検出されるときにプッシュスイッチ１１０ｃに検出され、図７及び図９に示すように、ディスク挿排部１００の幅方向の一端部１００ａを通過する８ｃｍディスク１１２、及び、ディスク挿排部１００の幅方向の中央部１００ｂを通過する８ｃｍディスク１１２が、プッシュスイッチ１１０ｄに検出されず、図１０に示すようにディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１１０ｃに検出されない位置に配置されていたので、図示していない制御装置はディスク挿排部１００の幅方向の他端部１００ｃを通過する８ｃｍディスク１１２を識別することができた。
【０２１５】
しかしながら、本発明によれば、図示を省略するが、レバー部材１０９とプッシュスイッチ１１０ｄ及びレバー部材１０８とプッシュスイッチ１１０ｃは、１２ｃｍディスク１１１及び１２ｃｍアダプタ１１３が、ディスク挿排部１００に挿入されて、最初にプッシュスイッチ１１０ｄに検出されるときにプッシュスイッチ１１０ｃに検出され、ディスク挿排部１００の幅方向の一端部１００ａを通過する８ｃｍディスク１１２、及び、ディスク挿排部１００の幅方向の中央部１００ｂを通過する８ｃｍディスク１１２のうち少なくとも１つが、ディスク挿排部１００に挿入されて、最初にプッシュスイッチ１１０ｄに検出されるときにプッシュスイッチ１１０ｃに検出され、残りがプッシュスイッチ１１０ｄに検出されず、ディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１１０ｃに検出されない位置に配置されていても、図示していない制御装置はディスク挿排部１００の幅方向の他端部１００ｃを通過する８ｃｍディスク１１２を識別することができる。
【０２１６】
また、本実施の形態によれば、図示を省略するが、レバー部材１０９とプッシュスイッチ１１０ｄ及びレバー部材１０８とプッシュスイッチ１１０ｃは、１２ｃｍディスク１１１及び１２ｃｍアダプタ１１３が、ディスク挿排部１００に挿入されて、最初にプッシュスイッチ１１０ｄに検出されるときにプッシュスイッチ１１０ｃに検出され、ディスク挿排部１００の幅方向の一端部１００ａを通過する８ｃｍディスク１１２、及び、ディスク挿排部１００の幅方向の中央部１００ｂを通過する８ｃｍディスク１１２が、ディスク挿排部１００に挿入されて、最初にプッシュスイッチ１１０ｄに検出されるときにプッシュスイッチ１１０ｃに検出され、ディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１１０ｃに検出されない位置に配置されていても、図示していない制御装置はディスク挿排部１００の幅方向の他端部１００ｃを通過する８ｃｍディスク１１２を識別することができる。
【０２１７】
また、本実施の形態において、レバー部材１０４の軸部１０４ａ及びレバー部材１０９とプッシュスイッチ１１０ｄは、図１４及び図１５に示すように、１２ｃｍディスク１１１及び１２ｃｍアダプタ１１３が、ディスク挿排部１００に挿入されて、最初にプッシュスイッチ１１０ｄに検出されるときにプッシュスイッチ１０５ａに検出され、図７及び図９に示すように、ディスク挿排部１００の幅方向の一端部１００ａを通過する８ｃｍディスク１１２、及び、ディスク挿排部１００の幅方向の中央部１００ｂを通過する８ｃｍディスク１１２が、プッシュスイッチ１１０ｄに検出されず、図１０に示すように、ディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１０５ａに検出されない位置に配置されていたので、制御装置はディスク挿排部１００の幅方向の他端部１００ｃを通過する８ｃｍディスク１１２を識別することができた。
【０２１８】
しかしながら、本発明によれば、図示を省略するが、レバー部材１０４の軸部１０４ａ及びプッシュスイッチ１１０ｄは、１２ｃｍディスク１１１及び１２ｃｍアダプタ１１３が、ディスク挿排部１００に挿入されて、最初にプッシュスイッチ１１０ｄに検出されるときにプッシュスイッチ１０５ａに検出され、ディスク挿排部１００の幅方向の一端部１００ａを通過する８ｃｍディスク１１２、及び、ディスク挿排部１００の幅方向の中央部１００ｂを通過する８ｃｍディスク１１２のうち少なくとも１つが、ディスク挿排部１００に挿入されて、最初にプッシュスイッチ１１０ｄに検出されるときにプッシュスイッチ１０５ａに検出され、残りがプッシュスイッチ１１０ｄに検出されず、ディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１０５ａに検出されない位置に配置されていても、図示していない制御装置はディスク挿排部１００の幅方向の他端部１００ｃを通過する８ｃｍディスク１１２を識別することができる。
【０２１９】
また、本実施の形態によれば、図示を省略するが、レバー部材１０４の軸部１０４ａ及びレバー部材１０９とプッシュスイッチ１１０ｄは、１２ｃｍディスク１１１及び１２ｃｍアダプタ１１３が、ディスク挿排部１００に挿入されて、最初にプッシュスイッチ１１０ｄに検出されるときにプッシュスイッチ１０５ａに検出され、ディスク挿排部１００の幅方向の一端部１００ａを通過する８ｃｍディスク１１２、及び、ディスク挿排部１００の幅方向の中央部１００ｂを通過する８ｃｍディスク１１２が、ディスク挿排部１００に挿入されて、最初にプッシュスイッチ１１０ｄに検出されるときにプッシュスイッチ１０５ａに検出され、ディスク挿排部１００の幅方向の他端部１００ｃを通過する８ｃｍディスク１１２が、ディスク挿排部１００に挿入されて、最初にプッシュスイッチ１１０ｄに検出されるときにプッシュスイッチ１０５ａに検出されない位置に配置されていても、図示していない制御装置はディスク挿排部１００の幅方向の他端部１００ｃを通過する８ｃｍディスク１１２を識別することができる。
【０２２０】
また、本実施の形態において、レバー部材１０７とプッシュスイッチ１１０ｂは、レバー部材１０７に設けたローラ部材１０７ａがディスクに接触することによって通過するディスクを検出し、図７に示すようにディスク挿排部１００の幅方向の一端部１００ａを通過する８ｃｍディスク１１２がプッシュスイッチ１０５ｂに検出されるときに、８ｃｍディスク１１２を検出せず、図８に示すように１２ｃｍアダプタ１１３がプッシュスイッチ１０５ｂに検出されるときに、１２ｃｍアダプタ１１３を検出しない位置に配置されおり、レバー部材１０４の軸部１０４ａ及びレバー部材１０９とプッシュスイッチ１１０ｄは、図１５に示すように、１２ｃｍアダプタ１１３が、ディスク挿排部１００に挿入されて、最初にプッシュスイッチ１１０ｄに検出されるときにプッシュスイッチ１０５ａに検出され、図７に示すように、ディスク挿排部１００の幅方向の一端部１００ａを通過する８ｃｍディスク１１２がプッシュスイッチ１１０ｄに検出されない位置に配置されていたので、図示していない制御装置は１２ｃｍアダプタ１１３を識別することができた。
【０２２１】
しかしながら、本発明によれば、レバー部材１０７とプッシュスイッチ１１０ｂは、レバー部材１０７に設けたローラ部材１０７ａがディスクに接触することによって通過するディスクを検出し、図７に示すようにディスク挿排部１００の幅方向の一端部１００ａを通過する８ｃｍディスク１１２がプッシュスイッチ１０５ｂに検出されるときに、８ｃｍディスク１１２を検出せず、図８に示すように１２ｃｍアダプタ１１３がプッシュスイッチ１０５ｂに検出されるときに、１２ｃｍアダプタ１１３を検出しない位置に配置されており、レバー部材１０４の軸部１０４ａ及びプッシュスイッチ１１０ｄは、図示を省略するが、１２ｃｍアダプタ１１３が、ディスク挿排部１００に挿入されて、最初にプッシュスイッチ１１０ｄに検出されるときにプッシュスイッチ１０５ａに検出され、ディスク挿排部１００の幅方向の一端部１００ａを通過する８ｃｍディスク１１２が、ディスク挿排部１００に挿入されて、最初にプッシュスイッチ１１０ｄに検出されるときにプッシュスイッチ１０５ａに検出されない位置に配置されていても、図示していない制御装置は１２ｃｍアダプタ１１３を識別することができる。
【０２２２】
また、本実施の形態において、図示していない制御装置は、図１０に示すように、プッシュスイッチ１１０ｄがディスク挿排部１００に挿入されるディスクを最初に検出するときのプッシュスイッチ１１０ｃの検出結果と、プッシュスイッチ１１０ｄがディスク挿排部１００に挿入されるディスクを最初に検出するときのレバー部材１０４及びプッシュスイッチ１０５ａの検出結果との両方に基づいて、ディスク挿排部１００の幅方向の他端部１００ｃを通過する８ｃｍディスク１１２を識別し、挿排を制御していたが、本発明によれば、何れか一方のみに基づいて、ディスク挿排部１００の幅方向の他端部１００ｃを通過する８ｃｍディスク１１２を識別し、挿排を制御するようにしても良い。
【０２２３】
また、本実施の形態において、ディスク装置は、レバー部材１０６とプッシュスイッチ１１０ａが、ローラ部材１０３よりディスクの挿入方向上流側であり、ディスク挿排部１００に挿入された１２ｃｍディスク１１１（図６参照）、ディスク挿排部１００の幅方向の一端部１００ａを通過する８ｃｍディスク１１２（図７参照）、及び、ディスク挿排部１００の幅方向の中央部１００ｂを通過する８ｃｍディスク１１２（図９参照）がローラ部材１０３に接触する前に、１２ｃｍディスク１１１（図６参照）、ディスク挿排部１００の幅方向の一端部１００ａを通過する８ｃｍディスク１１２（図７参照）、及び、ディスク挿排部１００の幅方向の中央部１００ｂを通過する８ｃｍディスク１１２（図９参照）を検出する位置に配置されていたので、１２ｃｍディスク１１１（図６参照）、ディスク挿排部１００の幅方向の一端部１００ａを通過する８ｃｍディスク１１２（図７参照）、１２ｃｍディスク１１１と外径が略同一である１２ｃｍアダプタ１１３（図８参照）、又は、ディスク挿排部１００の幅方向の中央部１００ｂを通過する８ｃｍディスク１１２（図９参照）がローラ部材１０３に接触する前にローラ部材１０３を駆動して、１２ｃｍディスク１１１（図６参照）、ディスク挿排部１００の幅方向の一端部１００ａを通過する８ｃｍディスク１１２（図７参照）、１２ｃｍアダプタ１１３（図８参照）、又は、ディスク挿排部１００の幅方向の中央部１００ｂを通過する８ｃｍディスク１１２（図９参照）がローラ部材１０３まで手動で挿入されてローラ部材１０３に接触した時点から、１２ｃｍディスク１１１（図６参照）、ディスク挿排部１００の幅方向の一端部１００ａを通過する８ｃｍディスク１１２（図７参照）、１２ｃｍアダプタ１１３（図８参照）、又は、ディスク挿排部１００の幅方向の中央部１００ｂを通過する８ｃｍディスク１１２（図９参照）をローラ部材１０３によって挿入し始めることができ、操作フィーリングを向上することができる。
【０２２４】
しかしながら、本発明によれば、ディスク装置は、レバー部材１０６とプッシュスイッチ１１０ａが、ローラ部材１０３よりディスクの挿入方向上流側に配置されているだけでも、プッシュスイッチ１１０ａに検出されるディスクがローラ部材１０３に接触しながらローラ部材１０３より挿入方向下流側に半分以上手動で挿入される前に、ディスクをローラ部材１０３によって挿入し始めることができ、操作フィーリングを向上することができる。
【０２２５】
また、本実施の形態において、ディスク装置は、レバー部材１０７とプッシュスイッチ１１０ｂが、図１０に示すように、ローラ部材１０３よりディスクの挿入方向上流側であり、ディスク挿排部１００に挿入され、ディスク挿排部１００の幅方向の他端部１００ｃを通過する８ｃｍディスク１１２がローラ部材１０３に接触する前に、８ｃｍディスク１１２を検出する位置に配置されていたので、ディスク挿排部１００の幅方向の他端部１００ｃを通過する８ｃｍディスク１１２がローラ部材１０３に接触する前にローラ部材１０３を駆動して、８ｃｍディスク１１２がローラ部材１０３まで手動で挿入されてローラ部材１０３に接触した時点から、８ｃｍディスク１１２をローラ部材１０３によって挿入し始めることができ、操作フィーリングを向上することができる。
【０２２６】
しかしながら、本発明によれば、レバー部材１０７とプッシュスイッチ１１０ｂが、ローラ部材１０３よりディスクの挿入方向上流側に配置されているだけでも、プッシュスイッチ１１０ｂに検出されるディスクがローラ部材１０３に接触しながらローラ部材１０３より挿入方向下流側に半分以上手動で挿入される前に、ディスクをローラ部材１０３によって挿入し始めることができ、操作フィーリングを向上することができる。
【０２２７】
また、本実施の形態において、ディスク装置は、レバー部材１０４の軸部１０４ａが、ローラ部材１０３よりディスクの挿入方向上流側に配置されており、プッシュスイッチ１０５ａに検出されるディスクがローラ部材１０３に接触しながらローラ部材１０３より挿入方向下流側に半分以上手動で挿入される前に、ディスクをローラ部材１０３によって挿入し始めることができ、操作フィーリングを向上することができる。
【０２２８】
また、本実施の形態において、ディスク装置は、レバー部材１０４の軸部１０４ａが、ローラ部材１０３よりディスクの挿入方向上流側に配置されていたので、レバー部材１０４及びプッシュスイッチ１０５ａに検出されるディスクがローラ部材１０３に接触しながらローラ部材１０３より挿入方向下流側に半分以上手動で挿入される前に、ディスクをローラ部材１０３によって挿入し始めることができ、操作フィーリングを向上することができる。
【０２２９】
また、ディスク装置は、ローラ部材１０３が、挿入中のディスクとの接触が外れる前に制御装置によるディスクの識別が終了する位置に配置されているので、ディスクがローラ部材１０３と接触している間に、ディスクを内部に挿入するか、或いは、外部に排出するかを判断して、ローラ部材１０３によって挿入或いは排出することができ、排出すべきディスクを誤って挿入することを防止することができる。
【０２３０】
なお、本実施の形態においては、第１のディスク及び第２のディスクをそれぞれ１２ｃｍディスク及び８ｃｍディスクとしていたが、本発明によれば、第１のディスク及び第２のディスクの外径は１２ｃｍや８ｃｍ以外であっても良い。
【０２３１】
また、本実施の形態においては、ディスク通過時接触検出手段及び端部通過時接触検出手段を、レバー部材１０４及びプッシュスイッチ１０５ａ、１０５ｂで構成した例で説明したが、本発明によれば、接触によってディスク挿排部１００を通過するディスクを検出することができる構成であれば、ディスク通過時接触検出手段及び端部通過時接触検出手段は、レバー部材１０４を介さずに直接プッシュスイッチで検出するものや、フォトインタラプタを利用したものや、フォトＬＥＤ（発光ダイオード）及びフォトトランジスタを利用したものや、リニアポジションセンサを使用したものなど、レバー部材１０４及びプッシュスイッチ１０５ａ、１０５ｂ以外を利用した構成であっても良い。
【０２３２】
また、本実施の形態においては、厚み検出手段を、レバー部材１０６、１０７、１０８、１０９及びプッシュスイッチ１１０ａ、１１０ｂ、１１０ｃ、１１０ｄで構成した例で説明したが、本発明によれば、接触によってディスク挿排部１００を通過するディスクを検出することができる構成であれば、厚み検出手段は、フォトインタラプタを利用したものや、フォトＬＥＤ及びフォトトランジスタを利用したや、リニアポジションセンサを使用したものなど、レバー部材１０６、１０７、１０８、１０９及びプッシュスイッチ１１０ａ、１１０ｂ、１１０ｃ、１１０ｄ以外を利用した構成であっても良い。
【０２３３】
また、本実施の形態においては、ディスク通過時接触検出手段、及び、端部通過時接触検出手段、及び、非検出ディスク厚み検出手段、及び、接触検出時厚み検出手段、及び、通過ディスク厚み検出手段、及び、通過ディスク厚み検出手段それぞれの構成要素である各部材（例えば、ディスク通過時接触検出手段はレバー部材１０４とプッシュスイッチ１０５ａ、端部通過時接触検出手段はレバー部材１０４とプッシュスイッチ１０５ｂ）をディスク装置の筐体内の同一面上に配置したので、従来のような、ディスクの厚み方向の一方に発光素子、他方に受光素子という組み合わせで構成された光検出手段を用いた場合と比べてディスク厚み方向の両面に素子や基板を配置する必要がなくなり、その分、装置の薄型化が可能となる。
【産業上の利用可能性】
【０２３４】
以上のように、本発明にかかるディスク識別装置、ディスク挿排装置及びディスク装置は、第１のディスク、前記第１のディスクより外径が小さい第２のディスク、前記第１のディスクと外径が略同一であり、中心部に前記第２のディスクと半径が略同一である中空穴が形成された中空ディスクを含むディスクを挿排するディスク挿排部と、前記ディスクの接触によって前記ディスク挿排部の幅方向の一端部を通過する前記ディスクを検出する端部通過時接触検出手段と、前記ディスクの厚み方向に接触することによって通過する前記ディスクを検出する接触検出時厚み検出手段と、前記端部通過時接触検出手段が前記ディスクを検出するときの前記接触検出時厚み検出手段の検出結果に基づいて前記ディスクの種類を識別する識別手段とを備え、前記接触検出時厚み検出手段は、前記端部通過時接触検出手段が前記中空ディスクを検出したときに前記中空ディスクを検出しない位置に配置されるディスク識別装置を設けることにより、ディスク挿排部に挿入されたディスクが第１のディスク、中空ディスクの何れかである場合、ディスク挿排部に挿入されたディスクが第１のディスク又は中空ディスクのいずれかであるかを、ディスクの光透過率の大小にかかわらず、安定して識別することができるという効果を有するディスク識別装置と、このディスク識別装置を備えたディスク挿排装置及びディスク装置を提供することができるという効果を有し、ディスクの種類を識別するディスク識別装置、ディスクを挿排するディスク挿排装置、及び、ディスク装置等として有用である。
【図面の簡単な説明】
【０２３５】
【図１】本発明の一実施の形態におけるディスク装置の要部の上面図
【図２】図１に示すディスク装置の要部の正面図
【図３】図２とは異なる状態での図１に示すディスク装置の要部の正面図
【図４】本発明の一実施の形態における厚み検出手段の要部の正面図
【図５】図４とは異なる状態での図１に示す厚み検出手段の要部の正面図
【図６】１２ｃｍディスクがディスク挿排部を通過しているときの図１に示すディスク装置の要部の上面図
【図７】８ｃｍディスクがディスク挿排部の幅方向の一端部を通過しているときの図１に示すディスク装置の要部の上面図
【図８】１２ｃｍアダプタがディスク挿排部を通過しているときの図１に示すディスク装置の要部の上面図
【図９】８ｃｍディスクがディスク挿排部の幅方向の中央部を通過しているときの図１に示すディスク装置の要部の上面図
【図１０】８ｃｍディスクがディスク挿排部の幅方向の他端部を通過しているときの図１に示すディスク装置の要部の上面図
【図１１】１２ｃｍディスクが図６に示す状態とは異なる状態でディスク挿排部を通過しているときの図１に示すディスク装置の要部の上面図
【図１２】１２ｃｍアダプタが図８に示す状態とは異なる状態でディスク挿排部を通過しているときの図１に示すディスク装置の要部の上面図
【図１３】８ｃｍディスクが図７に示す状態とは異なる状態でディスク挿排部の幅方向の一端部を通過しているときの図１に示すディスク装置の要部の上面図
【図１４】１２ｃｍディスクが図６及び図１１に示す状態とは異なる状態でディスク挿排部を通過しているときの図１に示すディスク装置の要部の上面図
【図１５】１２ｃｍアダプタが図８及び図１２に示す状態とは異なる状態でディスク挿排部を通過しているときの図１に示すディスク装置の要部の上面図
【図１６】１２ｃｍディスクがディスク挿排部を通過するときの図１に示すディスク装置の各検出手段の出力のタイミングチャート
【図１７】８ｃｍディスクがディスク挿排部の幅方向の一端部を通過するときの図１に示すディスク装置の各検出手段の出力のタイミングチャート
【図１８】８ｃｍディスクがディスク挿排部の幅方向の中央部を通過するときの図１に示すディスク装置の各検出手段の出力のタイミングチャート
【図１９】８ｃｍディスクがディスク挿排部の幅方向の他端部を通過するときの図１に示すディスク装置の各検出手段の出力のタイミングチャート
【図２０】１２ｃｍアダプタがディスク挿排部を通過するときの図１に示すディスク装置の各検出手段の出力のタイミングチャート
【図２１】２枚の１２ｃｍディスクがディスク挿排部を通過しているときの図１に示すディスク装置の要部の上面図
【図２２】２枚の１２ｃｍディスクがディスク挿排部を通過するときの図１に示すディスク装置の各検出手段の出力のタイミングチャート
【図２３】１枚の１２ｃｍディスクがディスク挿排部を通過するときの図１に示すディスク装置の各検出手段の出力のタイミングチャート
【図２４】１２ｃｍディスクが挿入される前の従来のディスク装置の要部の上面図
【図２５】図２４に示すディスク装置の要部の正面図
【図２６】１２ｃｍディスクがディスク挿入口を通過しているときの図２４に示すディスク装置の要部の上面図
【図２７】１２ｃｍアダプタの上面図
【符号の説明】
【０２３６】
１００  ディスク挿排部
１００ａ  一端部
１００ｂ  中央部
１００ｃ  他端部
１０１ａ、１０２ａ、１０２ｂ、１０６ｂ、１０７ｂ、１０８ｂ、１０９ｂ  突起
１０３、１０６ａ、１０７ａ、１０８ａ、１０９ａ  ローラ部材
１０４、１０６、１０７、１０８、１０９  レバー部材
１０５ａ、１０５ｂ、１１０ａ、１１０ｂ、１１０ｃ、１１０ｄ  プッシュスイッチ
１０６ｃ、１０７ｃ、１０８ｃ、１０９ｃ  軸部材
１１１、１１４、１１５  １２ｃｍディスク
１１２  ８ｃｍディスク
１１３  １２ｃｍアダプタ
１１３ａ  中空穴
【図１】
2005135454.tif 000003
【図２】
2005135454.tif 000004
【図３】
2005135454.tif 000005
【図４】
2005135454.tif 000006
【図５】
2005135454.tif 000007
【図６】
2005135454.tif 000008
【図７】
2005135454.tif 000009
【図８】
2005135454.tif 000010
【図９】
2005135454.tif 000011
【図１０】
2005135454.tif 000012
【図１１】
2005135454.tif 000013
【図１２】
2005135454.tif 000014
【図１３】
2005135454.tif 000015
【図１４】
2005135454.tif 000016
【図１５】
2005135454.tif 000017
【図１６】
2005135454.tif 000018
【図１７】
2005135454.tif 000019
【図１８】
2005135454.tif 000020
【図１９】
2005135454.tif 000021
【図２０】
2005135454.tif 000022
【図２１】
2005135454.tif 000023
【図２２】
2005135454.tif 000024
【図２３】
2005135454.tif 000025
【図２４】
2005135454.tif 000026
【図２５】
2005135454.tif 000027
【図２６】
2005135454.tif 000028
【図２７】
2005135454.tif 000029